(57)【要約】【課題】ＩＰ網で三者通話を実現することを目的とする。【解決手段】ＩＰ変換装置２０ａに音声ミキシング部５２ａを備え、該音声ミキシング部５２ａなどの制御を行う通話制御部５１ａをアプリケーションサーバ１０ａに備える。または、ＩＰ変換装置２０ｂに音声ミキシング部５２ｂおよび通話制御部５１ｂを備える。あるいは、音声ミキシング部に相当する音声ミキシング装置５２ｃを、アプリケーションサーバ１０ｃや、ＩＰ変換装置２０ｃなどから独立した装置として、音声ミキシングの機能を集約させる。そして、通話制御部５１ｃをアプリケーションサーバ１０ｃに備える。【選択図】図１
2011244193.tif 000002
【特許請求の範囲】
【請求項１】
少なくとも３台の電話端末と、前記電話端末のうち、三者通話契約を行っている第１の電話端末に接続され、前記電話端末から送信された音声信号を、ＩＰ（Internet Plotocol）パケットに変換するＩＰ変換装置と、前記ＩＰ変換装置に接続されているアプリケーションサーバと、を有する三者通話システムによる三者通話制御方法であって、
第１の電話端末に接続されている前記ＩＰ変換装置は、
前記第１の電話端末および第２の電話端末間における二者通話時に、前記第１の電話端末からフッキングを検出すると、
フッキング通知信号を前記アプリケーションサーバへ送信し、
前記アプリケーションサーバは、
前記フッキング通知を受信すると、
第２呼発信指示を前記第１の電話端末に接続されているＩＰ変換装置へ送信し、
前記第１の電話端末に接続されているＩＰ変換装置は、
前記第２呼発信指示を受信後、前記第１の電話端末から、第３の電話端末への第２呼ダイヤルを受信したとき、
前記第２呼ダイヤルに関する情報を、前記アプリケーションサーバへ送信し、
前記アプリケーションサーバは、
前記第３の電話端末が接続されているＩＰ変換装置に、前記第３の電話端末の呼び出しを指示し、
当該第３の電話端末が接続されているＩＰ変換装置から、前記第３の電話端末のオフフックの検知を受信すると、
前記第３の電話端末のオフフック通知信号を前記第１の電話端末に接続されているＩＰ変換装置へ送信し、
前記第１の電話端末に接続されているＩＰ変換装置は、
前記第３の電話端末のオフフック通知信号を受信すると、
前記第１の電話端末と、前記第３の電話端末と、を通話状態とし、
前記第１の電話端末からのフッキングを検知すると、
アプリケーションサーバへフッキング通知信号を送信し、
前記アプリケーションサーバは、
前記フッキング通知信号を受信すると、
前記第１の電話端末に接続されているＩＰ変換装置へ、前記第１の電話端末、前記第２の電話端末および前記第３の電話端末の音声信号をミキシングして出力する音声ミキシングの実行を指示し、
前記第１の電話端末に接続されているＩＰ変換装置は、
前記音声ミキシングの実行を指示されると、
前記音声ミキシングを実行する
ことを特徴とする三者通話制御方法。
【請求項２】
前記第１の電話端末に接続されているＩＰ変換装置は、
前記音声ミキシングの実行中に、前記第１の電話端末におけるフッキングを検知すると、
フッキング通知信号を前記アプリケーションサーバへ送信し、
前記アプリケーションサーバは、
前記フッキング通知信号を受信すると、
前記第１の電話端末に接続されているＩＰ変換装置へ、前記音声ミキシングの停止を指示し、
前記第１の電話端末に接続されているＩＰ変換装置は、
前記音声ミキシングの停止を指示されると、
前記実行している音声ミキシングを停止する
ことを特徴とする請求項１に記載の三者通話制御方法。
【請求項３】
少なくとも３台の電話端末と、前記電話端末のうち、三者通話契約を行っている第１の電話端末に接続され、前記電話端末から送信された音声信号を、ＩＰ（Internet Plotocol）パケットに変換するＩＰ変換装置と、前記ＩＰ変換装置に接続されているアプリケーションサーバと、を有する三者通話システムによる三者通話制御方法であって、
第１の電話端末に接続されている前記ＩＰ変換装置は、
前記第１の電話端末および第２の電話端末間における二者通話時に、前記第１の電話端末からフッキングを検出すると、
フッキング通知信号を前記アプリケーションサーバへ送信し、
前記アプリケーションサーバは、
前記フッキング通知を受信すると、第２呼発信指示を前記第１の電話端末に接続されているＩＰ変換装置へ送信し、
前記第１の電話端末に接続されているＩＰ変換装置は、
前記第２呼発信指示を受信後、前記第１の電話端末から、第３の電話端末への第２呼ダイヤルを受信すると、
前記第２呼ダイヤルに関する情報を、前記アプリケーションサーバへ送信し、
前記アプリケーションサーバは、
前記第３の電話端末が接続されている前記ＩＰ変換装置に、前記第３の電話端末の呼び出しを指示し、
当該第３の電話端末が接続されているＩＰ変換装置から、前記第３の電話端末のオフフックの検知を受信すると、
前記第３の電話端末のオフフック通知信号を前記第１の電話端末に接続されているＩＰ変換装置へ送信し、
前記第１の電話端末に接続されているＩＰ変換装置は、
前記第３の電話端末のオフフック通知信号を受信すると、
前記第１の電話端末と、前記第３の電話端末と、を通話状態とし、
前記第１の電話端末からのフッキングを検知すると、
前記第１の電話端末、前記第２の電話端末および前記第３の電話端末の音声信号をミキシングして出力する音声ミキシングを実行する
ことを特徴とする三者通話制御方法。
【請求項４】
前記第１の電話端末に接続されているＩＰ変換装置は、
前記音声ミキシングの実行中に、前記第１の電話端末におけるフッキングを検知すると、
前記実行している音声ミキシングを停止する
ことを特徴とする請求項３に記載の三者通話制御方法。
【請求項５】
少なくとも３台の電話端末と、前記電話端末のうち、三者通話契約を行っている第１の電話端末に接続され、前記電話端末から送信された音声信号を、ＩＰ（Internet Plotocol）パケットに変換するＩＰ変換装置と、前記ＩＰ変換装置に接続されているアプリケーションサーバと、前記アプリケーションサーバに接続し、音声ミキシングを実行する音声ミキシング装置と、を有する三者通話システムによる三者通話制御方法であって、
第１の電話端末に接続されている前記ＩＰ変換装置は、
前記第１の電話端末および第２の電話端末間における二者通話時に、前記第１の電話端末からフッキングを検出すると、
フッキング通知信号を前記アプリケーションサーバへ送信し、
前記アプリケーションサーバは、
前記フッキング通知を受信すると、
第２呼発信指示を前記第１の電話端末に接続されているＩＰ変換装置へ送信し、
前記第１の電話端末に接続されているＩＰ変換装置は、
前記第２呼発信指示を受信後、前記第１の電話端末から、第３の電話端末への第２呼ダイヤルを受信すると、
前記第２呼ダイヤルに関する情報を、前記アプリケーションサーバへ送信し、
前記アプリケーションサーバは、
前記第３の電話端末が接続されている前記ＩＰ変換装置に、前記第３の電話端末の呼び出しを指示し、
当該第３の電話端末が接続されているＩＰ変換装置から、前記第３の電話端末のオフフックの検知を受信すると、
前記第３の電話端末のオフフック通知信号を前記第１の電話端末に接続されているＩＰ変換装置へ送信し、
前記第１の電話端末に接続されているＩＰ変換装置は、
前記第３の電話端末のオフフック通知信号を受信すると、
前記第１の電話端末と、前記第３の電話端末と、を通話状態とし、
前記第１の電話端末からのフッキングを検知すると、
アプリケーションサーバへフッキング通知信号を送信し、
前記アプリケーションサーバは、
前記フッキング通知信号を受信すると、
前記音声ミキシング装置へ、前記第１の電話端末、前記第２の電話端末および前記第３の電話端末の音声信号をミキシングして出力する音声ミキシングを指示し、
前記音声ミキシング装置は、
前記音声ミキシングを指示されると、
前記第３の電話端末の音声ミキシング、前記第２の電話端末の音声ミキシングおよび前記第１の電話端末の音声ミキシングを、順次行う
ことを特徴とする三者通話制御方法。
【請求項６】
前記第１の電話端末に接続されているＩＰ変換装置は、
前記音声ミキシングの実行中に、前記第１の電話端末におけるフッキングを検知すると、
フッキング通知信号を前記アプリケーションサーバへ送信し、
前記アプリケーションサーバは、
前記フッキング通知信号を受信すると、
前記音声ミキシング装置へ、前記音声ミキシングの停止を指示し、
前記音声ミキシング装置は、
前記音声ミキシングの停止を指示されると、
前記実行している音声ミキシングを停止する
ことを特徴とする請求項５に記載の三者通話制御方法。
【請求項７】
請求項１から請求項６のいずれか一項に記載の三者通話制御方法を、コンピュータに実行させるためのプログラム。
【請求項８】
少なくとも３台の電話端末と、前記電話端末のうち、三者通話契約を行っている第１の電話端末に接続され、前記電話端末から送信された音声信号を、ＩＰ（Internet Plotocol）パケットに変換するＩＰ変換装置と、前記ＩＰ変換装置に接続されているアプリケーションサーバと、を有する三者通話システムにおけるＩＰ変換装置であって、
前記第１の電話端末および第２の電話端末間における二者通話時に、前記第１の電話端末からフッキングを検出すると、
フッキング通知信号を前記アプリケーションサーバへ送信し、
前記アプリケーションサーバから、第２呼発信指示を受信後、前記第１の電話端末から、第３の電話端末への第２呼ダイヤルを受信したとき、
前記第２呼ダイヤルに関する情報を、前記アプリケーションサーバへ送信し、
前記アプリケーションサーバから、前記第３の電話端末のオフフック通知信号を受信すると、
前記第１の電話端末と、前記第３の電話端末と、を通話状態とし、
前記第１の電話端末からのフッキングを検知すると、
アプリケーションサーバへフッキング通知信号を送信し、
前記アプリケーションサーバから、前記第１の電話端末、前記第２の電話端末および前記第３の電話端末の音声信号をミキシングして出力する音声ミキシングの実行を指示されると、
前記音声ミキシングを実行する
ことを特徴とするＩＰ変換装置。
【請求項９】
前記第１の電話端末に接続されているＩＰ変換装置は、
前記音声ミキシングの実行中に、前記第１の電話端末におけるフッキングを検知すると、
フッキング通知信号を前記アプリケーションサーバへ送信し、
前記アプリケーションサーバｋら、前記音声ミキシングの停止を指示されると、
前記実行している音声ミキシングを停止する
ことを特徴とする請求項８に記載のＩＰ変換装置。
【請求項１０】
少なくとも３台の電話端末と、前記電話端末のうち、三者通話契約を行っている第１の電話端末に接続され、前記電話端末から送信された音声信号を、ＩＰ（Internet Plotocol）パケットに変換するＩＰ変換装置と、前記ＩＰ変換装置に接続されているアプリケーションサーバと、を有する三者通話システムにおけるＩＰ変換装置であって、
前記第１の電話端末および第２の電話端末間における二者通話時に、前記第１の電話端末からフッキングを検出すると、
フッキング通知信号を前記アプリケーションサーバへ送信し、
前記アプリケーションサーバから、第２呼発信指示を受信後、前記第１の電話端末から、第３の電話端末への第２呼ダイヤルを受信すると、
前記第２呼ダイヤルに関する情報を、前記アプリケーションサーバへ送信し、
前記アプリケーションサーバは、
前記第３の電話端末が接続されている前記ＩＰ変換装置に、前記第３の電話端末の呼び出しを指示し、
当該第３の電話端末が接続されているＩＰ変換装置から、前記第３の電話端末のオフフックの検知を受信すると、
前記第３の電話端末のオフフック通知信号を前記第１の電話端末に接続されているＩＰ変換装置へ送信し、
前記第１の電話端末に接続されているＩＰ変換装置は、
前記第３の電話端末のオフフック通知信号を受信すると、
前記第１の電話端末と、前記第３の電話端末と、を通話状態とし、
前記第１の電話端末からのフッキングを検知すると、
前記第１の電話端末、前記第２の電話端末および前記第３の電話端末の音声信号をミキシングして出力する音声ミキシングを実行する
ことを特徴とするＩＰ変換装置。
【請求項１１】
前記音声ミキシングの実行中に、前記第１の電話端末におけるフッキングを検知すると、
前記実行している音声ミキシングを停止する
ことを特徴とする請求項１０に記載のＩＰ変換装置。
【請求項１２】
少なくとも３台の電話端末と、前記電話端末のうち、三者通話契約を行っている第１の電話端末に接続され、前記電話端末から送信された音声信号を、ＩＰ（Internet Plotocol）パケットに変換するＩＰ変換装置と、前記ＩＰ変換装置に接続されているアプリケーションサーバと、前記アプリケーションサーバに接続し、音声ミキシングを実行する音声ミキシング装置と、を有する三者通話システムにおけるアプリケーションサーバであって、
前記第１の電話端末および第２の電話端末間における二者通話時に、
前記第１の電話端末に接続されているＩＰ変換装置からフッキング通知を受信すると、
第２呼発信指示を前記第１の電話端末に接続されているＩＰ変換装置へ送信し、
第３の電話端末が接続されている前記ＩＰ変換装置に、前記第３の電話端末の呼び出しを指示し、
当該第３の電話端末が接続されているＩＰ変換装置から、前記第３の電話端末のオフフックの検知を受信すると、
前記第３の電話端末のオフフック通知信号を前記第１の電話端末に接続されているＩＰ変換装置へ送信し、
前記第１の電話端末に接続されているＩＰ変換装置から、前記フッキング通知信号を受信すると、
前記音声ミキシング装置へ、前記第１の電話端末、前記第２の電話端末および前記第３の電話端末の音声信号をミキシングして出力する音声ミキシングを指示する
ことを特徴とするアプリケーションサーバ。
【請求項１３】
前記音声ミキシングの実行中に、前記フッキング通知信号を受信すると、
前記音声ミキシング装置へ、前記音声ミキシングの停止を指示する
ことを特徴とする請求項１２に記載のアプリケーションサーバ。
【発明の詳細な説明】
【技術分野】
【０００１】
本発明は、ＩＰ（Internet Protocol）網における三者通話制御方法、プログラム、ＩＰ変換装置およびアプリケーションサーバの技術に関する。
【背景技術】
【０００２】
電話サービスの一つである三者通話（簡易会議電話端末機能）は、通話中に電話端末のフックボタンを操作することにより、現在通話中の相手を保留状態としながら第三者を呼び出し、再びフックボタンを操作することにより保留状態を解除して、三者間での相互通話を行うことができるサービスである。この場合、三者通話の契約者は、第１呼目が発信・着信（つまり、契約者が発信者・着信者）いずれの場合でも第三者を呼び出すことができる。
【０００３】
従来の三者通話は、レガシーネットワーク（ＰＳＴＮ：Public Switched Telephone Networks）を対象としたサービスで、通話路制御機能と呼制御機能を保持する交換機、および、この交換機に三者通話用トランクを配備することで、三者通話の各種機能を実現する。具体的には、通話者Ａ，Ｂ，Ｃによってそれぞれ使用されている複数の多機能電話端末（電話端末Ａ，Ｂ，Ｃと称する）が通話用チャネル（通話路）を介して通話状態となる。また、制御用チャネルを介して、制御信号が送受信されて三者通話が行われる。この際、以下のような処理が行われる。すなわち、通話路に接続された通話者Ａと通話者Ｂとが通話中の状態で、通話者Ｃを新たに通話者に加え三者通話を行おうと考えた場合、通話者Ａが電話端末Ａの「会議」ボタンを押下すると、交換機に備えられている制御装置が、電話端末Ａと電話端末Ｂとを通話状態にしたまま電話端末Ａをダイヤル可能な状態にする。通話者Ａが、電話端末Ａを介して、電話端末Ｃの電話番号をダイヤルすると、制御装置が、このダイヤルに応じて電話端末Ｃを呼び出す。電話端末Ｃが応答すると、電話端末Ｂを保留状態にしたまま、電話端末Ａと電話端末Ｃとを通話状態にしたのち、電話端末Ｂも通話状態とすることで三者通話が実現する。なお、電話端末Ｃを呼び出している途中で、電話端末Ｂがオンフックすることで、電話端末Ｂ−電話端末Ａの回線が切断されると、電話端末Ａ−電話端末Ｃの二者通話となる。なお、ここでは、電話端末Ａが電話端末Ｃを呼び出す例を説明したが、電話端末Ｂが電話端末Ｃを呼び出す場合も同様の処理が行われる（例えば、特許文献１参照）。
【０００４】
ＰＳＴＮを使用した従来技術における三者通話システム１００の動作を図２５を参照して詳細に説明する。図２５は、従来技術に係る第一呼発信通話中の状態から、三者通話を確立までの動作を説明する図である。通話者Ａ（三者通話契約者：以降、適宜契約者と称す）の使用している電話端末Ａ４１と、通話者Ｂが使用している電話端末Ｂ４２との間で、交換機Ａ１１１（交換機１１０）−中継器Ａ１２１−交換機Ｂ１１２（交換機１１０）を介して通話（第１呼発信通話）が行われている（図２５のＳ４００１）ところで、通話者Ａが電話端末Ａ４１のフックボタンを操作（フッキング）する。すると、電話端末Ａ４１を収容している交換機Ａ１１１は、このフッキングを検出し、電話端末Ｂ４２を保留状態として保留音を送出するとともに、電話端末Ａ４１へ第２ダイヤルトーン（ＳＤＴ：Second Dial Tone、以降ＳＤＴと称す）を送出する。
【０００５】
次に、通話者Ａが電話端末Ａ４１を介して第２呼発信番号（電話端末Ｃ４３の電話番号）をダイヤルする（図２５のＳ４００２）。この時、電話端末Ａ４１を管理している交換機Ａ１１１は、電話端末Ａ４１が三者通話契約している電話端末であるか否かを判定する許容判定を行う。許容の場合、交換機Ａ１１１→中継機Ａ１２１→中継機Ｂ１２２→交換機Ｃ１１３（交換機１１０）の順で、第２呼発信番号を送るルーチングを行う（図２５のＳ４００３）。ルーチングされた第２呼発信番号を受信した交換機Ｃ１１３は、電話端末Ｃ４３の呼び出しを行う。電話端末Ｃ４３がオフフックされることによって、電話端末Ｃ４３が応答すると、この応答によって電話端末Ａ４１と電話端末Ｃ４３とを接続し、電話端末Ａ４１と、電話端末Ｃ４３とが通話状態となる（図２５のＳ４００４）。通話者Ａが、電話端末Ａ４１のフックボタンを再度操作（フッキング）する。電話端末Ａ４１を管理している交換機１１１が、このフッキングを検出し、交換機１１１に搭載されている三者通話用トランク１３０を介して電話端末Ａ４１、電話端末Ｂ４２および電話端末Ｃ４３を接続し、三者通話状態とする（図２５のＳ４００５）。
【先行技術文献】
【特許文献】
【０００６】
【特許文献１】特開平５−１１４９５４号公報
【発明の概要】
【発明が解決しようとする課題】
【０００７】
従来技術（ＰＳＴＮの既存技術）では、呼制御機能と通話路のメディア処理を同一交換機で保持しており、この交換機に三者通話用トランクによる音声ミキシング機能を配備することで三者通話を実現していた。しかし、ＩＰ網において、加入者サーバは呼制御機能を具備しているが、メディア処理機能（三者通話用トランク）は具備していないため、音声ミキシングを行って、三者通話通話を行うことができない。
【０００８】
このような背景に鑑みて本発明がなされたのであり、本発明は、ＩＰ網において三者通話サービスを提供することを目的とする。
【課題を解決するための手段】
【０００９】
本発明は、前記課題を解決するために創案されたものであり、請求項１に記載の三者通話制御方法方法は、少なくとも３台の電話端末と、前記電話端末のうち、三者通話契約を行っている第１の電話端末に接続され、前記電話端末から送信された音声信号を、ＩＰパケットに変換するＩＰ変換装置と、前記ＩＰ変換装置に接続されているアプリケーションサーバと、を有する三者通話システムによる三者通話制御方法であって、第１の電話端末に接続されている前記ＩＰ変換装置は、前記第１の電話端末および第２の電話端末間における二者通話時に、前記第１の電話端末からフッキングを検出すると、フッキング通知信号を前記アプリケーションサーバへ送信し、前記アプリケーションサーバは、前記フッキング通知を受信すると、第２呼発信指示を前記第１の電話端末に接続されているＩＰ変換装置へ送信し、前記第１の電話端末に接続されているＩＰ変換装置は、前記第２呼発信指示を受信後、前記第１の電話端末から、第３の電話端末への第２呼ダイヤルを受信したとき、前記第２呼ダイヤルに関する情報を、前記アプリケーションサーバへ送信し、前記アプリケーションサーバは、前記第３の電話端末が接続されているＩＰ変換装置に、前記第３の電話端末の呼び出しを指示し、当該第３の電話端末が接続されているＩＰ変換装置から、前記第３の電話端末のオフフックの検知を受信すると、前記第３の電話端末のオフフック通知信号を前記第１の電話端末に接続されているＩＰ変換装置へ送信し、前記第１の電話端末に接続されているＩＰ変換装置は、前記第３の電話端末のオフフック通知信号を受信すると、前記第１の電話端末と、前記第３の電話端末と、を通話状態とし、前記第１の電話端末からのフッキングを検知すると、アプリケーションサーバへフッキング通知信号を送信し、前記アプリケーションサーバは、前記フッキング通知信号を受信すると、前記第１の電話端末に接続されているＩＰ変換装置へ、前記第１の電話端末、前記第２の電話端末および前記第３の電話端末の音声信号をミキシングして出力する音声ミキシングの実行を指示し、前記第１の電話端末に接続されているＩＰ変換装置は、前記音声ミキシングの実行を指示されると、前記音声ミキシングを実行することを特徴とする。
【００１０】
かかる発明によれば、ＩＰ網上で三者通話サービスを実現することができる。さらに、これまでのＰＳＴＮにおける三者通話と同様の操作手順で、ＩＰ網上の三者通話サービスを使用することができる。
【００１１】
また、請求項２に記載の三者通話制御方法方法は、請求項１における三者通話制御方法であって、前記第１の電話端末に接続されているＩＰ変換装置は、前記音声ミキシングの実行中に、前記第１の電話端末におけるフッキングを検知すると、フッキング通知信号を前記アプリケーションサーバへ送信し、前記アプリケーションサーバは、前記フッキング通知信号を受信すると、前記第１の電話端末に接続されているＩＰ変換装置へ、前記音声ミキシングの停止を指示し、前記第１の電話端末に接続されているＩＰ変換装置は、前記音声ミキシングの停止を指示されると、前記実行している音声ミキシングを停止することを特徴とする。
【００１２】
かかる発明によれば、これまでのＰＳＴＮにおける三者通話と同様の操作手順で、三者通話から、第３の電話端末の回線切断を行うことができる。
【００１３】
請求項３に記載の三者通話制御方法は、少なくとも３台の電話端末と、前記電話端末のうち、三者通話契約を行っている第１の電話端末に接続され、前記電話端末から送信された音声信号を、ＩＰパケットに変換するＩＰ変換装置と、前記ＩＰ変換装置に接続されているアプリケーションサーバと、を有する三者通話システムによる三者通話制御方法であって、第１の電話端末に接続されている前記ＩＰ変換装置は、前記第１の電話端末および第２の電話端末間における二者通話時に、前記第１の電話端末からフッキングを検出すると、フッキング通知信号を前記アプリケーションサーバへ送信し、前記アプリケーションサーバは、前記フッキング通知を受信すると、第２呼発信指示を前記第１の電話端末に接続されているＩＰ変換装置へ送信し、前記第１の電話端末に接続されているＩＰ変換装置は、前記第２呼発信指示を受信後、前記第１の電話端末から、第３の電話端末への第２呼ダイヤルを受信すると、前記第２呼ダイヤルに関する情報を、前記アプリケーションサーバへ送信し、前記アプリケーションサーバは、前記第３の電話端末が接続されている前記ＩＰ変換装置に、前記第３の電話端末の呼び出しを指示し、当該第３の電話端末が接続されているＩＰ変換装置から、前記第３の電話端末のオフフックの検知を受信すると、前記第３の電話端末のオフフック通知信号を前記第１の電話端末に接続されているＩＰ変換装置へ送信し、前記第１の電話端末に接続されているＩＰ変換装置は、前記第３の電話端末のオフフック通知信号を受信すると、前記第１の電話端末と、前記第３の電話端末と、を通話状態とし、前記第１の電話端末からのフッキングを検知すると、前記第１の電話端末、前記第２の電話端末および前記第３の電話端末の音声信号をミキシングして出力する音声ミキシングを実行することを特徴とする。
【００１４】
かかる発明によれば、ＩＰ変換装置上で音声ミキシングを自律的に実行するので、請求項１の発明と同様の効果に加えて、第１の電話端末からのフッキングの検知をアプリケーションサーバへ通知するのが、初回のみとなり、処理効率を向上させることができる。
【００１５】
請求項４に記載の三者通話制御方法は、請求項３における三者通話制御方法であって、前記第１の電話端末に接続されているＩＰ変換装置は、前記音声ミキシングの実行中に、前記第１の電話端末におけるフッキングを検知すると、前記実行している音声ミキシングを停止することを特徴とする。
【００１６】
かかる発明によれば、ＩＰ変換装置上で音声ミキシングを自律的に停止させるので、第３の電話端末との回線を切断するためのフッキングをアプリケーションサーバへ通知する必要がなくなり、処理効率を向上させることができる。
【００１７】
請求項５に記載の三者通話制御方法は、少なくとも３台の電話端末と、前記電話端末のうち、三者通話契約を行っている第１の電話端末に接続され、前記電話端末から送信された音声信号を、ＩＰパケットに変換するＩＰ変換装置と、前記ＩＰ変換装置に接続されているアプリケーションサーバと、前記アプリケーションサーバに接続し、音声ミキシングを実行する音声ミキシング装置と、を有する三者通話システムによる三者通話制御方法であって、第１の電話端末に接続されている前記ＩＰ変換装置は、前記第１の電話端末および第２の電話端末間における二者通話時に、前記第１の電話端末からフッキングを検出すると、フッキング通知信号を前記アプリケーションサーバへ送信し、前記アプリケーションサーバは、前記フッキング通知を受信すると、第２呼発信指示を前記第１の電話端末に接続されているＩＰ変換装置へ送信し、前記第１の電話端末に接続されているＩＰ変換装置は、前記第２呼発信指示を受信後、前記第１の電話端末から、第３の電話端末への第２呼ダイヤルを受信すると、前記第２呼ダイヤルに関する情報を、前記アプリケーションサーバへ送信し、前記アプリケーションサーバは、前記第３の電話端末が接続されている前記ＩＰ変換装置に、前記第３の電話端末の呼び出しを指示し、当該第３の電話端末が接続されているＩＰ変換装置から、前記第３の電話端末のオフフックの検知を受信すると、前記第３の電話端末のオフフック通知信号を前記第１の電話端末に接続されているＩＰ変換装置へ送信し、前記第１の電話端末に接続されているＩＰ変換装置は、前記第３の電話端末のオフフック通知信号を受信すると、前記第１の電話端末と、前記第３の電話端末と、を通話状態とし、前記第１の電話端末からのフッキングを検知すると、アプリケーションサーバへフッキング通知信号を送信し、前記アプリケーションサーバは、前記フッキング通知信号を受信すると、前記音声ミキシング装置へ、前記第１の電話端末、前記第２の電話端末および前記第３の電話端末の音声信号をミキシングして出力する音声ミキシングを指示し、前記音声ミキシング装置は、前記音声ミキシングを指示されると、前記第３の電話端末の音声ミキシング、前記第２の電話端末の音声ミキシングおよび前記第１の電話端末の音声ミキシングを、順次行うことを特徴とする。
【００１８】
かかる発明によれば、音声ミキシングを音声ミキシング装置で、集約的に実行するため、ＩＰ変換装置毎に音声ミキシング機能を備える必要がなくなり、ＩＰ変換装置の交換を行う必要がなくなるため、コストを削減することができる。
【００１９】
請求項６に記載の三者通話制御方法は、請求項５に記載の三者通話制御方法であって、前記第１の電話端末に接続されているＩＰ変換装置は、前記音声ミキシングの実行中に、前記第１の電話端末におけるフッキングを検知すると、フッキング通知信号を前記アプリケーションサーバへ送信し、前記アプリケーションサーバは、前記フッキング通知信号を受信すると、前記音声ミキシング装置へ、前記音声ミキシングの停止を指示し、前記音声ミキシング装置は、前記音声ミキシングの停止を指示されると、前記実行している音声ミキシングを停止することを特徴とする。
【００２０】
かかる発明によれば、請求項５の発明と同様の効果に加えて、これまでのＰＳＴＮにおける三者通話と同様の操作手順で、三者通話から、第３の電話端末の回線切断を行うことができる。
【００２１】
請求項７に記載のプログラムは、請求項１から請求項６のいずれか一項に記載の三者通話制御方法を、コンピュータに実行させるためのプログラムである。
【００２２】
かかる発明によれば、請求項１〜請求項６と同様の効果を有するプログラムを提供することができる。
【００２３】
請求項８に記載ののＩＰ変換装置は、少なくとも３台の電話端末と、前記電話端末のうち、三者通話契約を行っている第１の電話端末に接続され、前記電話端末から送信された音声信号を、ＩＰパケットに変換するＩＰ変換装置と、前記ＩＰ変換装置に接続されているアプリケーションサーバと、を有する三者通話システムにおけるＩＰ変換装置であって、前記第１の電話端末および第２の電話端末間における二者通話時に、前記第１の電話端末からフッキングを検出すると、フッキング通知信号を前記アプリケーションサーバへ送信し、前記アプリケーションサーバから、第２呼発信指示を受信後、前記第１の電話端末から、第３の電話端末への第２呼ダイヤルを受信したとき、前記第２呼ダイヤルに関する情報を、前記アプリケーションサーバへ送信し、前記アプリケーションサーバから、前記第３の電話端末のオフフック通知信号を受信すると、前記第１の電話端末と、前記第３の電話端末と、を通話状態とし、前記第１の電話端末からのフッキングを検知すると、アプリケーションサーバへフッキング通知信号を送信し、前記アプリケーションサーバから、前記第１の電話端末、前記第２の電話端末および前記第３の電話端末の音声信号をミキシングして出力する音声ミキシングの実行を指示されると、前記音声ミキシングを実行することを特徴とする。
【００２４】
かかる発明によれば、ＩＰ網上で三者通話サービスを実現することができる。さらに、これまでのＰＳＴＮにおける三者通話と同様の操作手順で、ＩＰ網上の三者通話サービスを使用することができるＩＰ変換装置を提供することができる。
【００２５】
請求項９に記載のＩＰ変換装置は、請求項８に記載の前記第１の電話端末に接続されているＩＰ変換装置であって、前記第１の電話端末に接続されているＩＰ変換装置は、前記音声ミキシングの実行中に、前記第１の電話端末におけるフッキングを検知すると、フッキング通知信号を前記アプリケーションサーバへ送信し、前記アプリケーションサーバｋら、前記音声ミキシングの停止を指示されると、前記実行している音声ミキシングを停止することを特徴とする。
【００２６】
かかる発明によれば、これまでのＰＳＴＮにおける三者通話と同様の操作手順で、三者通話から、第３の電話端末の回線切断を行うことができるＩＰ変換装置を提供することができる。
【００２７】
請求項１０に記載のＩＰ変換装置は、少なくとも３台の電話端末と、前記電話端末のうち、三者通話契約を行っている第１の電話端末に接続され、前記電話端末から送信された音声信号を、ＩＰパケットに変換するＩＰ変換装置と、前記ＩＰ変換装置に接続されているアプリケーションサーバと、を有する三者通話システムにおけるＩＰ変換装置であって、前記第１の電話端末および第２の電話端末間における二者通話時に、前記第１の電話端末からフッキングを検出すると、フッキング通知信号を前記アプリケーションサーバへ送信し、前記アプリケーションサーバから、第２呼発信指示を受信後、前記第１の電話端末から、第３の電話端末への第２呼ダイヤルを受信すると、前記第２呼ダイヤルに関する情報を、前記アプリケーションサーバへ送信し、前記アプリケーションサーバは、前記第３の電話端末が接続されている前記ＩＰ変換装置に、前記第３の電話端末の呼び出しを指示し、当該第３の電話端末が接続されているＩＰ変換装置から、前記第３の電話端末のオフフックの検知を受信すると、前記第３の電話端末のオフフック通知信号を前記第１の電話端末に接続されているＩＰ変換装置へ送信し、前記第１の電話端末に接続されているＩＰ変換装置は、前記第３の電話端末のオフフック通知信号を受信すると、前記第１の電話端末と、前記第３の電話端末と、を通話状態とし、前記第１の電話端末からのフッキングを検知すると、前記第１の電話端末、前記第２の電話端末および前記第３の電話端末の音声信号をミキシングして出力する音声ミキシングを実行することを特徴とする。
【００２８】
かかる発明によれば、ＩＰ変換装置上で音声ミキシングを自律的に実行するので、請求項１の発明と同様の効果に加えて、第１の電話端末からのフッキングの検知をアプリケーションサーバへ通知するのが、初回のみとなり、処理効率を向上させることができるＩＰ変換装置を提供することができる。
【００２９】
請求項１１に記載のＩＰ変換装置は、請求項１０に記載のＩＰ変換装置であって、前記音声ミキシングの実行中に、前記第１の電話端末におけるフッキングを検知すると、前記実行している音声ミキシングを停止することを特徴とする。
【００３０】
かかる発明によれば、ＩＰ変換装置上で音声ミキシングを自律的に停止させるので、第３の電話端末との回線を切断するためのフッキングをアプリケーションサーバへ通知する必要がなくなり、処理効率を向上させることができるＩＰ変換装置を提供することができる。
【００３１】
請求項１２に記載のアプリケーションサーバは、少なくとも３台の電話端末と、前記電話端末のうち、三者通話契約を行っている第１の電話端末に接続され、前記電話端末から送信された音声信号を、ＩＰパケットに変換するＩＰ変換装置と、前記ＩＰ変換装置に接続されているアプリケーションサーバと、前記アプリケーションサーバに接続し、音声ミキシングを実行する音声ミキシング装置と、を有する三者通話システムにおけるアプリケーションサーバであって、前記第１の電話端末および第２の電話端末間における二者通話時に、前記第１の電話端末に接続されているＩＰ変換装置からフッキング通知を受信すると、第２呼発信指示を前記第１の電話端末に接続されているＩＰ変換装置へ送信し、第３の電話端末が接続されている前記ＩＰ変換装置に、前記第３の電話端末の呼び出しを指示し、当該第３の電話端末が接続されているＩＰ変換装置から、前記第３の電話端末のオフフックの検知を受信すると、前記第３の電話端末のオフフック通知信号を前記第１の電話端末に接続されているＩＰ変換装置へ送信し、前記第１の電話端末に接続されているＩＰ変換装置から、前記フッキング通知信号を受信すると、前記音声ミキシング装置へ、前記第１の電話端末、前記第２の電話端末および前記第３の電話端末の音声信号をミキシングして出力する音声ミキシングを指示することを特徴とする。
【００３２】
かかる発明によれば、音声ミキシングを音声ミキシング装置で、集約的に実行するため、ＩＰ変換装置毎に音声ミキシング機能を備える必要がなくなり、ＩＰ変換装置の交換を行う必要がなくなるため、コストを削減することが可能なアプリケーションサーバを提供することができる。
【００３３】
請求項１３に記載のアプリケーションサーバは、請求項１２に記載のアプリケーションサーバであって、前記音声ミキシングの実行中に、前記フッキング通知信号を受信すると、前記音声ミキシング装置へ、前記音声ミキシングの停止を指示することを特徴とする。
【００３４】
かかる発明によれば、請求項５の発明と同様の効果に加えて、これまでのＰＳＴＮにおける三者通話と同様の操作手順で、三者通話から、第３の電話端末の回線切断を行うことができるアプリケーションサーバを提供することができる。
【発明の効果】
【００３５】
本発明によれば、ＩＰ網において三者通話サービスを提供することができる。
【図面の簡単な説明】
【００３６】
【図１】第１実施形態〜第３実施形態の概要を示す図である。
【図２】第１実施形態〜第３実施形態に共通の全体遷移図である。
【図３】第１実施形態に係る三者通話システムの構成例を示す図である。
【図４】第１実施形態に係る電話端末Ａ−電話端末Ｂ間通話（第１呼通話）までの処理の手順を示すシーケンス図である。
【図５】第１実施形態に係る電話端末Ａ−電話端末Ｂ間通話〜電話端末Ｃ呼出（第２呼呼出）までの処理の手順を示すシーケンス図である。
【図６】第１実施形態に係る電話端末Ｃ呼出（第２呼呼出）〜三者通話が行われるまでの処理の手順を示すシーケンス図である。
【図７】第１実施形態に係る三者通話（音声ミキシング）〜電話端末Ｃ（第２呼）切断までの処理の手順を示すシーケンス図である。
【図８】第１実施形態に係る電話端末Ａ−電話端末Ｂ間通話（第１呼通話）〜通話終了までの処理の手順を示すシーケンス図である。
【図９】第１実施形態に係る電話端末Ｂ保留中に電話端末Ｂの通話が切断され、電話端末Ａと電話端末Ｃとの間の二者通話になるまでの処理の手順を示すシーケンス図である。
【図１０】第２実施形態に係る三者通話システムの構成例を示す図である。
【図１１】第２実施形態に係る電話端末Ａ−電話端末Ｂ間通話（第１呼通話）までの処理の手順を示すシーケンス図である。
【図１２】第２実施形態に係る電話端末Ａ−電話端末Ｂ間通話〜電話端末Ｃ呼出（第２呼呼出）までの処理の手順を示すシーケンス図である。
【図１３】第２実施形態に係る電話端末Ｃ呼出（第２呼呼出）〜三者通話が行われるまでの処理の手順を示すシーケンス図である。
【図１４】第２実施形態に係る三者通話（音声ミキシング）〜電話端末Ｃ（第２呼）切断までの処理の手順を示すシーケンス図である。
【図１５】第２実施形態に係る電話端末Ａ−電話端末Ｂ間通話（第１呼通話）〜通話終了までの処理の手順を示すシーケンス図である。
【図１６】第２実施形態に係る電話端末Ｂ保留中に電話端末Ｂの通話が切断され、電話端末Ａと電話端末Ｃとの間の二者通話になるまでの処理の手順を示すシーケンス図である。
【図１７】第３実施形態に係る三者通話システムの構成例を示す図である。
【図１８】第３実施形態に係る電話端末Ａ−電話端末Ｂ間通話（第１呼通話）までの処理の手順を示すシーケンス図である。
【図１９】第３実施形態に係る電話端末Ａ−電話端末Ｂ間通話〜電話端末Ｃ呼出（第２呼呼出）までの処理の手順を示すシーケンス図である。
【図２０】第３実施形態に係る電話端末Ｃ呼出（第２呼呼出）〜電話端末Ｃ−電話端末Ａ通話〜フッキング検出が行われるまでの処理の手順を示すシーケンス図である。
【図２１】第３実施形態に係るフッキング検出〜三者通話が行われるまでの処理の手順を示すシーケンス図である。
【図２２】第３実施形態に係る三者通話（音声ミキシング）〜電話端末Ｃ（第２呼）切断までの処理の手順を示すシーケンス図である。
【図２３】第３実施形態に係る電話端末Ａ−電話端末Ｂ間通話（第１呼通話）〜通話終了までの処理の手順を示すシーケンスである。
【図２４】第３実施形態に係る電話端末Ｂ保留中に電話端末Ｂの通話が切断され、電話端末Ａと電話端末Ｃとの間の二者通話になるまでの処理の手順を示すシーケンス図である。
【図２５】従来技術に係る第一呼発信通話中の状態から、三者通話確立までの処理の手順を説明する図である。
【発明を実施するための形態】
【００３７】
次に、本発明を実施するための形態（「実施形態」という）について、適宜図面を参照しながら詳細に説明する。
【００３８】
《全体概要》
本実施形態では、第２呼発信送出手段、フッキング通知手段、音声ミキシング手段をＩＰ網上のどこに設けるかによって、第１実施形態〜第３実施形態の３つに分けることとする。
以下、第１実施形態〜第３実施形態それぞれの概要を説明した後、各実施形態の詳細な説明を行う。
【００３９】
（各実施形態の概要）
まず、図１を参照して、第１実施形態〜第３実施形態の概要を説明する。各実施形態の詳細は後記して説明する。
なお、図１（ａ）〜（ｃ）に示すように、第１実施形態〜第３実施形態に係る三者通話システムは、ＩＰ変換装置２０、加入者サーバ３０、アプリケーションサーバ１０を有している。
ＩＰ変換装置２０は、電話端末４０から送出される呼制御信号および音声信号をＩＰパケットに変換する装置である。
加入者サーバ３０は、ＩＰ網においてＩＰ変換装置２０の上位に設置される装置であり、配下に収容されるすべての加入者のサービス契約情報管理や、呼状態管理を行う。また、加入者サーバ３０は、ＩＰ変換装置２０から発信要求信号を受け付け、この発信要求信号の送信先を探索したり、逆にＩＰ網から受信した発信要求信号を自身が管理するＩＰ変換装置２０へ送信するなどといった呼制御を行うサーバである。
アプリケーションサーバ１０は、加入者サーバ３０のさらに上位に設置され、高度なサービスを提供するためのサーバである。
【００４０】
図１（ａ）に示すように、第１実施形態に係る三者通話システムでは、第２呼発信送出手段であるプリケーションサーバ１０ａに設け、音声ミキシング部５２ａをＩＰ変換装置２０に設けている。音声ミキシング部５２ａとは、３台の電話端末から送信される音声信号をミキシングすることによって、三者通話を実現する機能を有しているものである。
【００４１】
第１実施形態における三者通話システムの動作概要を示すと、三者通話契約している電話端末からＩＰ変換装置２０ａへフッキングが送信されると（Ｓ１０１）、このフッキングを検知したＩＰ変換装置２０ａは、電話端末からフッキングがあるたびに、加入者サーバ３０へフッキングを通知する（Ｓ１０２）。さらに、加入者サーバ３０は、これをアプリケーションサーバ１０ａへ送信する（Ｓ１０３）。
アプリケーションサーバ１０ａで機能している通話制御部５１ａは、加入者サーバ３０へ音声ミキシングを指示する（Ｓ１０４）。
加入者サーバ３０は、ＩＰ変換装置２０ａへ音声ミキシング指示を送信し（Ｓ１０５）、ＩＰ変換装置２０ａの音声ミキシング部５２ａは、アプリケーションサーバ１０ａからの指示に従い動作する（Ｓ１０６）。
【００４２】
次に、図１（ｂ）を参照して、第２実施形態の概要を説明する。
図１（ｂ）に示すように、第２実施形態に係る三者通話システムでは、通話制御部５１ｂおよび音声ミキシング部５２ｂをＩＰ変換装置２０ｂに設けている。
第２実施形態における三者通話システムの動作概要を示すと、三者通話契約をしている電話端末からＩＰ変換装置２０ｂへフッキングが送信されると（Ｓ１１１）、このフッキングを検知したＩＰ変換装置２０ｂは、初回のみ加入者サーバ３０へフッキングを通知する（Ｓ１１２）。
加入者サーバ３０は、フッキングの検知をアプリケーションサーバ１０ｂへ送信する（Ｓ１１３）。
電話端末からのフッキングを受信したＩＰ変換装置２０ｂの通話制御部５１ｂは、音声ミキシング部５２ｂを制御して音声ミキシングを実行させることにより、三者通話の機能はＩＰ変換装置２０ｂにおいて自律的に実行される（Ｓ１１４）。
【００４３】
次に、図１（ｃ）を参照して、第３実施形態の概要を説明する。
図１（ｃ）に示すように、第３実施形態に係る三者通話システムでは、第２呼発信送出手段である通話制御部５１ｃは、第１実施形態と同様にアプリケーションサーバ１０ｃ内に設けられるが、音声ミキシング手段が音声ミキシング装置５２ｃとして、アプリケーションサーバ１０ｃや、ＩＰ変換装置２０ｃから独立した装置となっている。
第３実施形態における三者通話システムの動作概要を示すと、三者通話契約をしている電話端末からフッキングが送信されると（Ｓ１２１）、このフッキングを検知したＩＰ変換装置２０ｃは、電話端末からフッキングがあるたびに、加入者サーバ３０へフッキングを通知する（Ｓ１２２）。加入者サーバ３０は、フッキングをアプリケーションサーバ１０ｃへ、さらに送信する（Ｓ１２３）。アプリケーションサーバ１０ｃで実行されている通話制御部５１ｃは、音声ミキシング指示を音声ミキシング装置５２ｃへ指示する（Ｓ１２４）。そして、音声ミキシング装置５２ｃは、アプリケーションサーバ１０ｃからの指示に従い動作する（Ｓ１２５〜Ｓ１２７）。
【００４４】
なお、第１実施形態〜第３実施形態のそれぞれにおいて、アプリケーションサーバ１０を加入者サーバ３０内で機能させてもよい。
【００４５】
（全体遷移図）
図２は、第１実施形態〜第３実施形態に共通の全体遷移図である。
まず、三者通話の契約者が使用している電話端末Ａ４１と、電話端末Ｂ４２とが通話状態となっているとする（Ｓ２０１：第１呼）。
ここで、電話端末Ａ４１がフッキングされると（Ｓ２０２）、電話端末Ａ４１−電話端末Ｂ４２間が保留状態となり、電話端末Ａ４１が、電話端末Ｃ４３へダイヤルを行う（Ｓ２０３）。
ダイヤルが完了すると（Ｓ２０４）、電話端末Ｃ４３が呼び出される（Ｓ２０５）。
電話端末Ｃ４３が呼び出しに応答すると（Ｓ２０６）、電話端末Ａ４１−電話端末Ｃ４３間が通話状態となる（Ｓ２０７：第２呼）。
さらに、電話端末Ａ４１がフッキングされることで（Ｓ２０８）、保留となっていた電話端末Ａ４１−電話端末Ｂ４２間の通話も開始され、電話端末Ａ４１−電話端末Ｂ４２−電話端末Ｃ４３間の三者通話状態となる（Ｓ２０９）。
そして、三者通話状態で電話端末Ａ４１がフッキングされると（Ｓ２１０）、第２呼（電話端末Ａ４１−電話端末Ｃ４３間）の回線が切断され、電話端末Ａ４１−電話端末Ｂ４２間の通話状態へ戻る（Ｓ２０１）。
【００４６】
また、ステップＳ２０３の状態（電話端末Ｂ４２：保留、電話端末Ｃ４３：ダイヤル）で、電話端末Ｃ４３へのダイヤルが完了する前に、電話端末Ｂ４２がオンフックされることにより、電話端末Ａ４１−電話端末Ｂ４２間の電話回線が切断されると（Ｓ２１１）、電話端末Ａ４１にはビジートーン（Busy Tone：ＢＴ）が送られ（Ｓ２１２）、通話が終了する。
【００４７】
なお、ステップＳ２０５の状態（電話端末Ｂ４２：保留、電話端末Ｃ４３：呼出中）で、電話端末Ｃ４３が呼び出しに応答する前に、電話端末Ｂ４２がオンフックされることにより、電話端末Ａ４１−電話端末Ｂ４２間の電話回線が切断されると（Ｓ２１３）、電話端末Ａ４１が電話端末Ｃ４３を呼び出している状態となる（Ｓ２１４）。
電話端末Ｃ４３が呼び出しに応答すると（Ｓ２１５）、電話端末Ａ４１−電話端末Ｃ４３間の二者通話状態となり（Ｓ２１６）、ステップＳ２０１の状態に戻る（ただし、ステップＳ２０１の電話端末Ｂ４２が電話端末Ｃ４３となる）。
【００４８】
《第１実施形態》
次に、図３〜図９を参照して、第１実施形態の詳細を説明する。
【００４９】
＜システム構成＞
図３は、第１実施形態に係る三者通話システムの構成例を示す図である。三者通話システム１ａ（１）において、三者通話契約者が使用している電話端末Ａ４１（電話端末４０）は、ＩＰ変換装置Ａ２１ａ（ＩＰ変換装置２０）に接続し、加入者サーバＡ３１（加入者サーバ３０）に接続している。電話端末Ｂ４２（電話端末４０）は、ＩＰ変換装置Ｂ２２（ＩＰ変換装置２０）に接続しており、ＩＰ変換装置Ｂ２２は、加入者サーバＢ３２（加入者サーバ３０）に接続している。加入者サーバＢ３２は、加入者サーバＡ３１に接続している。また、電話端末Ｃ４３（電話端末４０）は、ＩＰ変換装置Ｃ２３（ＩＰ変換装置２０）に接続しており、ＩＰ変換装置Ｃ２３は、加入者サーバＣ３３に接続している。
【００５０】
また、他の電話端末４０は、他のＩＰ変換装置２０に接続している。
さらに、加入者サーバＡ３１は、上位装置であるアプリケーションサーバ１０ａ（アプリケーションサーバ１０）に接続している。
そして、アプリケーションサーバ１０ａは、図示しないＲＯＭ（Read Only Memory）や、ＨＤＤ（Hard Disk Drive）に格納されたプログラムが、ＲＡＭ（Random Access Memory）に展開され、ＣＰＵ（Central Processing Unit）によって実行されることによって具現化する通話制御部５１ａ（通話制御部５１）および三者通話動作制御部５３を有している（第２実施形態および第３実施形態も同様）。通話制御部５１ａは、音声ミキシング機能の制御などを行う機能を有し、三者通話動作制御部５３は、全体的な三者通話サービスを制御する機能を有している。
さらに、ＩＰ変換装置２０は、ＲＯＭや、ＨＤＤに格納されたプログラムが、ＲＡＭに展開され、ＣＰＵによって実行されることによって具現化する音声ミキシング部５２ａ（音声ミキシング部５２）および処理部５４を有している（第２実施形態および第３実施形態も同様）。音声ミキシング部５２ａは、三者通話を行うための音声ミキシングを行う機能を有しており、処理部５４は、それ以外の制御を行なう機能を有している。
【００５１】
なお、図３のシステム構成例は一例であり、電話端末Ａ４１→ＩＰ変換装置Ａ２１ａ→加入者サーバＡ３１→アプリケーションサーバ１０ａと、電話端末Ｂ４２→ＩＰ変換装置Ｂ２２と、電話端末Ｃ４３→ＩＰ変換装置Ｃ２３との接続以外は、どのような接続であってもよい。
なお、第１実施形態において、三者通話動作制御部５３はアプリケーションサーバ１０ａで実行しており、音声ミキシング部５２ａは、ＩＰ変換装置Ａ２１ａで実行されていなくてはならない。
なお、各装置の動作については、図４〜図９における処理で説明する。
【００５２】
＜処理＞
次に、図３を参照しつつ、図４〜図９を参照して、第１実施形態に係る三者通話システム１ａの動作を説明する。なお、図４では、まず、電話端末Ａ４１−電話端末Ｂ４２間の通話を行ってから、電話端末Ｃ４３を呼び出して、電話端末Ａ４１−電話端末Ｂ４２−電話端末Ｃ４３間の三者通話を行う例を示す。
【００５３】
（電話端末Ａ４１〜電話端末Ａ４１−電話端末Ｂ４２間通話まで）
図４は、第１実施形態に係る電話端末Ａ−電話端末Ｂ間通話（第１呼通話）までの処理の手順を示すシーケンス図である。図４は、図２のステップＳ２０１までの状態までの動作を示すものである。
まず、電話端末Ａ４１がオフフックされると（Ｓ１１０１）、このオフフックを検知したＩＰ変換装置Ａ２１ａの処理部５４が電話端末Ａ４１へダイヤルトーン（ＤＴ:Dial Tone）を送出する（Ｓ１１０２）。ＩＰ変換装置Ａ２１ａの処理部５４は電話端末Ａ４１からのダイヤルを受信すると（Ｓ１１０３）、着信者電話番号と発信者電話番号をＩＰパケットに変換し、電話端末Ａ４１を管理している加入者サーバＡ３１へ、呼設定信号（例えばＳＩＰ（Session Initiation Protocol）であれば「ＩＮＶＩＴＥ（ＳＤＰ＿３を搭載）」：ＳＤＰ＿３はＩＰ変換装置Ａ２１ａの接続情報）を送信する（Ｓ１１０４）。
呼設定信号を受信した加入者サーバＡ３１は、呼設定信号に含まれている契約者電話情報と、自身が管理している契約者リスト（不図示）などとを参照して、発信元の電話端末４０が三者通話契約電話端末であるか否かを判定する三者通話契約判定処理を行う（Ｓ１１０５）。なお、三者通話サービスでは、例えば、カスタマコントロールのような三者通話に不適切なサービスの場合に三者通話を許容しない。
【００５４】
三者通話契約判定処理において許容と判定されれば、加入者サーバＡ３１は、三者通話サービスを起動するため、アプリケーションサーバ１０ａへ呼設定信号（例えば、ＳＩＰであれば「ＩＮＶＩＴＥ（ＳＤＰ＿３を搭載）」）を送信する（Ｓ１１０６）。
呼設定信号を受信したアプリケーションサーバ１０ａの三者通話動作制御部５３はステップＳ１１０５と同様の三者通話契約判定処理を行い（Ｓ１１０７）、許容であれば、自身の状態を「三者通話許容」の状態へ遷移させ（Ｓ１１０８）、加入者サーバＡ３１→加入者サーバＢ（発：以下省略する）３２→ＩＰ変換装置Ｂ２２の順に呼設定信号（例えば、ＳＩＰであれば「ＩＮＶＩＴＥ（ＳＤＰ＿３を搭載）」）を送信する（Ｓ１１０９〜Ｓ１１１１）ルーチングを行う。。
【００５５】
呼設定信号を受信したＩＰ変換装置Ｂ２２は、電話端末Ｂ４２の呼び出しを行う（Ｓ１１１２）とともに、加入者サーバＢ３２→加入者サーバＡ３１→アプリケーションサーバ１０ａ→加入者サーバＡ３１→ＩＰ変換装置Ａ２１ａの順に呼出信号（ＳＩＰであれば「１８０」）を送信する（Ｓ１１１３〜Ｓ１１１７）。
呼出信号を受信したＩＰ変換装置Ａ２１ａの処理部５４は電話端末Ａ４１へリングバックトーン（ＲＢＴ：Ring Back Tone）を送る（Ｓ１１１８）。
【００５６】
電話端末Ｂ４２が通話、すなわちオフフックすると（Ｓ１１１９）、ＩＰ変換装置Ｂ２２は、加入者サーバＢ３２→加入者サーバＡ３１→アプリケーションサーバ１０ａ→加入者サーバＡ３１→ＩＰ変換装置Ａ２１ａの順に応答信号（ＳＩＰでは、「２００（ＳＤＰ＿１を搭載）」：ＳＤＰ＿１は変換装置１の接続情報）を送信する（Ｓ１１２０〜Ｓ１１２４）。
次に、応答信号を受信したＩＰ変換装置Ａ２１ａは、加入者サーバＡ３１→アプリケーションサーバ１０ａ→加入者サーバＡ３１→加入者サーバＢ３２→ＩＰ変換装置Ｂ２２の順に応答確認信号（ＳＩＰでは「ＡＣＫ」）を送信する（Ｓ１１２５〜Ｓ１１２９）。
【００５７】
応答確認信号を受信・送信したアプリケーションサーバ１０ａの三者通話動作制御部５３は、フッキング許容指示を行い（Ｓ１１３０）、加入者サーバＡ３１→ＩＰ変換装置Ａ２１ａの順にフッキング許容指示を含む通知信号（例えばＳＩＰでは「ＩＮＦＯ（三者通話許容）」）を送信する（Ｓ１１３１，Ｓ１１３２）。
通知信号を受信したＩＰ変換装置Ａ２１ａの処理部５４は、電話端末Ａ４１のフッキング監視を行い（Ｓ１１３３）、電話端末Ａ４１と電話端末Ｂ４２との間が通話状態（第１呼通話中）となる（Ｓ１１３４）。このとき、ＩＰ変換装置Ａ２１ａの処理部５４は自身の状態を「三者通話許容」へ状態遷移させ（Ｓ１１３５）、加入者サーバＡ３１→アプリケーションサーバ１０ａの順に応答信号（例えばＳＩＰであれば「ＩＮＦＯ（２００））を送信する（Ｓ１１３６，Ｓ１１３７）。
【００５８】
なお、ステップＳ１１３０で行われるフッキング許容指示は、ステップＳ１１１６におけるアプリケーションサーバ１０ａからＩＰ変換装置２０へ送信する呼出信号（例えばＳＩＰでは「１８０」）、あるいはステップＳ１１２３における応答信号において送信されてもよい。この場合、ステップＳ１１３１の通知信号および、ステップＳ１１３６における通知信号に対する応答信号は不要となる。
【００５９】
なお、電話端末Ｂ４２から電話端末Ａ４１を呼び出してもよい。この場合、図４とは処理の順序が逆となる。
【００６０】
（電話端末Ａ４１−電話端末Ｂ４２間通話〜電話端末Ｃ４３呼出まで）
図５は、第１実施形態に係る電話端末Ａ−電話端末Ｂ間通話〜電話端末Ｃ呼出（第２呼呼出）までの処理の手順を示すシーケンス図である。図５は、図２のステップＳ２０１〜Ｓ２０５までの動作を示すものである。
まず、図４で行われた電話端末Ａ４１と電話端末Ｂ４２とが通話状態（第１呼通話中）の状態であり、ＩＰ変換装置Ａ２１ａおよびアプリケーションサーバ１０ａの状態が「三者通話許容」であるとする。
通話者Ｃも通話者に加えた三者通話を行うために、通話者Ａは、電話端末Ａ４１のフックボタンを操作（フッキング）する（Ｓ１２０１）。
ＩＰ変換装置Ａ２１ａの処理部５４は、このフッキングを検知し（Ｓ１２０２）、フッキング通知を行い（Ｓ１２０３）、加入者サーバＡ３１→アプリケーションサーバ１０ａの順にフッキング通知を含む通知信号（例えばＳＩＰでは「ＩＮＦＯ（フッキング通知）」）を送信する（Ｓ１２０４，Ｓ１２０５）。
フッキング通知を受信したアプリケーションサーバ１０ａの三者通話動作制御部５３は自身の状態を「三者通話開始中」遷移させ（Ｓ１２０６）、加入者サーバＡ３１→ＩＰ変換装置Ａ２１ａの順に応答信号（例えばＳＩＰでは「２００」）を送信する（Ｓ１２０７，Ｓ１２０８）。次に、アプリケーションサーバ１０ａの通話制御部５１ａは、第２呼発信指示を行い（Ｓ１２０９）、加入者サーバＡ３１→ＩＰ変換装置Ａ２１ａの順に、第２呼発信指示を含む通知信号（例えばＳＩＰでは「ＩＮＦＯ（第２呼発信指示）」）を送信する（Ｓ１２１０，Ｓ１２１１）。
ＩＰ変換装置Ａ２１ａの処理部５４は第２呼発信指示を含む通知信号を受信すると、第２呼発信を行い（Ｓ１２１２）、電話端末Ａ４１へ第２ダイヤルトーン（ＳＤＴ）を送出する（Ｓ１２１３）とともに、電話端末Ｂ４２へ保留音を送出し（Ｓ１２１４）、電話端末Ｂ４２を保留状態とし、電話端末Ａ４１（通話者Ａ）が発信可能な状態とする。
【００６１】
電話端末Ｂ４２を保留状態としたＩＰ変換装置Ａ２１ａの処理部５４は、加入者サーバＡ３１→アプリケーションサーバ１０ａの順に応答信号（例えばＳＩＰであれば「２００」）を送信する（Ｓ１２１５，Ｓ１２１６）。
応答信号を受信したアプリケーションサーバ１０ａの通話制御部５１ａは自身の状態を「第２呼ダイヤル中」の状態へ遷移させる（Ｓ１２１７）。
【００６２】
通話者Ａが電話端末Ａ４１をダイヤルすると（Ｓ１２１８）、ＩＰ変換装置Ａ２１ａの処理部５４は、このダイヤル（第２呼ダイヤル）を検出し、加入者サーバＡ３１→アプリケーションサーバ１０ａの順に呼設定信号（例えばＳＩＰでは「ＩＮＶＩＴＥ（ＳＤＰ＿３＿２を搭載）」：ＳＤＰ＿３＿２はＩＰ変換装置Ａ２１ａの接続情報）（三者通話第２呼発信）を送信する（Ｓ１２１９，Ｓ１２２０）。
呼設定信号（三者通話第２呼発信）を受信したアプリケーションサーバ１０ａの三者通話動作制御部５３は、受信した呼設定信号に含まれる着信者電話番号（第２呼の接続先：ここでは電話端末Ｃ４３）を基に、第２呼発信許容判定を行う（Ｓ１２２１）。なお、三者通話サービスでは、例えば、カスタマコントロールのような三者通話に不適切なサービスの場合に三者通話を許容しない。
【００６３】
ステップＳ１２２１の結果、許容であれば、アプリケーションサーバ１０ａの三者通話動作制御部５３は、着信者電話番号（第２呼の接続先）に従い、加入者サーバＡ３１→加入者サーバＣ３３→ＩＰ変換装置Ｃ２３の順に呼設定信号（例えばＳＩＰでは「ＩＮＶＩＴＥ（ＳＤＰ＿３＿２を搭載））（通信中発信呼）を送信する（Ｓ１２２２〜Ｓ１２２４）ルーチングを行う。
【００６４】
ＩＰ変換装置Ｃ２３は、電話端末Ｃ４３に対する呼び出しを行う（Ｓ１２２５）とともに、加入者サーバＣ３３→加入者サーバＡ３１→アプリケーションサーバ１０ａの順に呼出信号（例えばＳＩＰでは「１８０」）を送信する（Ｓ１２２６〜Ｓ１２２８）。
呼出信号を受信したアプリケーションサーバ１０ａの三者通話動作制御部５３は自身の状態を「第２呼呼出中」の状態へ遷移させる（Ｓ１２２９）。
そして、アプリケーションサーバ１０ａの三者通話動作制御部５３は、加入者サーバＡ３１→ＩＰ変換装置Ａ２１ａの順に呼出信号（例えばＳＩＰでは「１８０」）を送信し（Ｓ１２３０，Ｓ１２３１）、呼出信号を受信したＩＰ変換装置Ａ２１ａの処理部５４は、電話端末Ａ４１へリングバックトーン（ＲＢＴ）を送出する（Ｓ１２３２）。
【００６５】
（電話端末Ｃ４３呼出〜三者通話）
図６は、第１実施形態に係る電話端末Ｃ呼出（第２呼呼出）〜三者通話が行われるまでの処理の手順を示すシーケンス図である。図６は、図２のステップＳ２０５〜Ｓ２０９までの動作を示すものである。
図５の処理の結果、第１呼（電話端末Ａ４１−電話端末Ｂ４２）が保留となっており、電話端末Ｃ４３呼出（第２呼呼出）の状態であり、アプリケーションサーバ１０ａの状態が「第２呼呼出中」であるとする。
このとき、通話者Ｃが通話のために電話端末Ｃ４３をオフフックすると（Ｓ１３０１）、このオフフックを検知したＩＰ変換装置Ｃ２３が応答信号（例えばＳＩＰであれば「２００（ＳＤＰ＿２を搭載）」：ＳＤＰ＿２はＩＰ変換装置Ｃ２３の接続情報）を加入者サーバＣ３３→加入者サーバＡ３１→アプリケーションサーバ１０ａ→加入者サーバＡ３１→ＩＰ変換装置Ａ２１ａの順に送信する（Ｓ１３０２〜Ｓ１３０６）。
【００６６】
この応答信号を受信したＩＰ変換装置Ａ２１ａの処理部５４は、応答確認信号（ＳＩＰであれば「ＡＣＫ」）を加入者サーバＡ３１→アプリケーションサーバ１０ａ→加入者サーバＡ３１→加入者サーバＣ３３→ＩＰ変換装置Ｃ２３の順に送信する（Ｓ１３０７〜ＳＳ１３１１）。
これにより、電話端末Ａ４１と電話端末Ｃ４３とが通話状態となり（Ｓ１３１２）、アプリケーションサーバ１０ａの三者通話動作制御部５３は自身の状態を「第２呼通信中」の状態へ遷移させる（Ｓ１３１３）。
【００６７】
そして、通話者Ａが電話端末Ａ４１のフックボタンを操作（フッキング）する（Ｓ１３１４）と、ＩＰ変換装置Ａ２１ａの処理部５４は、このフッキングを検出し（Ｓ１３１５）、フッキング通知を行うことで（Ｓ１３１６）、加入者サーバＡ３１→アプリケーションサーバ１０ａの順に、フッキング通知を含む通知信号（例えばＳＩＰでは「ＩＮＦＯ（フッキング通知）」）を送信する（Ｓ１３１７，Ｓ１３１８）。
フッキング通知を含む通知信号を受信したアプリケーションサーバ１０ａの三者通話動作制御部５３は、応答信号（例えばＳＩＰでは「２００」）を加入者サーバＡ３１→ＩＰ変換装置Ａ２１ａの順に送信する（Ｓ１３１９、Ｓ１３２０）。
【００６８】
さらに、フッキング通知を含む応答信号を送信したアプリケーションサーバ１０ａの通話制御部５１ａは、音声ミキシング指示を行い（Ｓ１３２１）、加入者サーバＡ３１→ＩＰ変換装置Ａ２１ａの順に、音声ミキシング指示を含む通知信号（例えばＳＩＰでは「ＩＮＦＯ（ミキシング指示）」）を送信する（Ｓ１３２２，Ｓ１３２３）。
音声ミキシング指示を含む通知信号を受信したＩＰ変換装置Ａ２１ａの音声ミキシング部５２は、音声ミキシング処理を実行し（Ｓ１３２４）、ＩＰ変換装置Ａ２１ａの処理部５４が、加入者サーバＡ３１→アプリケーションサーバ１０ａの順に応答信号（例えばＳＩＰであれば「２００」）を送信する（Ｓ１３２５，Ｓ１３２６）。
これにより、電話端末Ａ４１−電話端末Ｂ４２−電話端末Ｃ４３との間が三者通話状態（音声ミキシング）となる（Ｓ１３２７）。なお、応答信号を受信したアプリケーションサーバ１０ａの三者通話動作制御部５３は自身の状態を「三者通話中」の状態へ遷移させる（Ｓ１３２８）。
【００６９】
（三者通話〜電話端末Ｃ４３切断）
図７は、第１実施形態に係る三者通話（音声ミキシング）〜電話端末Ｃ（第２呼）切断までの処理の手順を示すシーケンス図である。図７は、図２のステップＳ２０９〜Ｓ２０１までの動作を示すものである。
図６の結果、三者通話（音声ミキシング）となっており、アプリケーションサーバ１０ａの状態が「三者通話中」であるものとする。
三者通話中に、通話者Ａが電話端末Ａ４１のフックボタンを操作（フッキング）する（Ｓ１４０１）と、ＩＰ変換装置Ａ２１ａの処理部５４は、このフッキングを検出し（Ｓ１４０２）、フッキング通知を行って（Ｓ１４０３）、加入者サーバＡ３１→アプリケーションサーバ１０ａの順に、フッキング通知を含む通知信号（例えばＳＩＰでは「ＩＮＦＯ（フッキング通知）」）を送信する（Ｓ１４０４，Ｓ１４０５）。
【００７０】
アプリケーションサーバ１０ａの通話制御部５１ａは、フッキング通知を含む通知信号を受信すると、三者通話中のフッキングは第２呼切断（電話端末Ｃ４３離脱）である離脱条件判定を行う（Ｓ１４０６）。そして、アプリケーションサーバ１０ａの三者通話動作制御部５３は、加入者サーバＡ３１→ＩＰ変換装置Ａ２１ａの順に応答信号（例えばＳＩＰであれば「２００」）を送信し（Ｓ１４０７，Ｓ１４０８）、さらに、加入者サーバＡ３１→ＩＰ変換装置Ａ２１ａの順に第２呼切断指示を含む通知信号（例えばＳＩＰでは「ＩＮＦＯ（第２呼切断指示）」）を送信する（Ｓ１４０９，Ｓ１４１０）。
【００７１】
通知信号を受信したＩＰ変換装置Ａ２１ａの処理部５４は。第２呼切断処理を行い（Ｓ１４１１）、応答信号（例えばＳＩＰでは「２００」）を加入者サーバＡ３１→アプリケーションサーバ１０ａの順に送信する（Ｓ１４１２，Ｓ１４１３）。
さらに、ＩＰ変換装置Ａ２１ａの処理部５４は、電話端末Ｃ４３との回線を切断するため、加入者サーバＡ３１→アプリケーションサーバ１０ａ→加入者サーバＡ３１→加入者サーバＣ３３→ＩＰ変換装置Ｃ２３へ切断信号（例えばＳＩＰでは「ＢＹＥ」）を送信する（Ｓ１４１４〜Ｓ１４１８）。
切断信号を受信したＩＰ変換装置Ｃ２３は、電話端末Ｃ４３へビジートーン（ＢＴ）を送出する（Ｓ１４１９）ことで、電話端末Ｃ４３との通話を切断するとともに、加入者サーバＣ３３→加入者サーバＡ３１→アプリケーションサーバ１０ａ→加入者サーバＡ３１→ＩＰ変換装置Ａ２１ａの順に切断応答信号（例えばＳＩＰでは「２００」）を送信する（Ｓ１４２０〜Ｓ１４２４）。
切断応答信号を受信したＩＰ変換装置Ａ２１ａの音声ミキシング部５２は、自身を停止し、音声ミキシング部５２を介さない電話端末Ａ４１と電話端末Ｂ４２との間での第１呼通話とする（Ｓ１４２５）。
なお、切断応答信号を加入者サーバＡ３１へ送信したアプリケーションサーバ１０ａの三者通話動作制御部５３は自身の状態を「三者通話許容」の状態へ遷移させる（Ｓ１４２６）。
【００７２】
（電話端末Ａ４１−電話端末Ｂ４２間通話〜通話終了）
図８は、第１実施形態に係る電話端末Ａ−電話端末Ｂ間通話（第１呼通話）〜通話終了までの処理の手順を示すシーケンス図である。図８は、図２のステップＳ２０３〜Ｓ２１１〜Ｓ２１２までの動作を示すものである。
図１または図７の結果、電話端末Ａ４１−電話端末Ｂ４２間通話（第１呼通話）中であり、アプリケーションサーバ１０ａの状態が「三者通話許容」であるとする。
通話者Ａが電話端末Ａ４１のフックボタンを操作（フッキング）する（Ｓ１５０１）と、ＩＰ変換装置Ａ２１ａの処理部５４が、このフッキングを検出し（Ｓ１５０２）、フッキング通知を行い（Ｓ１５０３）、加入者サーバＡ３１→アプリケーションサーバ１０ａの順にフッキング通知を含む通知信号（例えばＳＩＰでは「ＩＮＦＯ（フッキング通知）」）を送信する（Ｓ１５０４，Ｓ１５０５）。
【００７３】
フッキング通知を含む通知信号を受信したアプリケーションサーバ１０ａの通話制御部５１ａは、第２呼発信指示を行い（Ｓ１５０６）、自身の状態を「三者通話開始中」の状態へ遷移させ（Ｓ１５０７）、加入者サーバＡ３１→ＩＰ変換装置Ａ２１ａの順に応答信号（例えばＳＩＰであれば「２００」）を送信する（Ｓ１５０８，Ｓ１５０９）。
次に、アプリケーションサーバ１０ａの三者通話動作制御部５３は、加入者サーバＡ３１→ＩＰ変換装置Ａ２１ａの順に、第２呼発信指示を含む通知信号（例えばＳＩＰでは「ＩＮＦＯ（第２呼発信指示）」）を送信する（Ｓ１５１０，Ｓ１５１１）。
【００７４】
第２呼発信指示を含む通知信号を受信したＩＰ変換装置Ａ２１ａの処理部５４は、第２呼発信を行い（Ｓ１５１２）、電話端末Ａ４１へ第２ダイヤルトーン（ＳＤＴ）を送出する（Ｓ１５１３）とともに、電話端末Ｂ４２へ保留音を送出して（Ｓ１５１４）、電話端末Ｂ４２を保留状態とし、電話端末Ａ４１が発信可能な状態にする。ＩＰ変換装置Ａ２１ａの処理部５４は、加入者サーバＡ３１→アプリケーションサーバ１０ａの順に応答信号（例えばＳＩＰでは「２００」）を送信し（Ｓ１５１５，Ｓ１５１６）、この応答信号を受信したアプリケーションサーバ１０ａの通話制御部５１ａは自身の状態を「第２呼ダイヤル中」の状態へ遷移させる（Ｓ１５１７）。
【００７５】
ここで、加入者による第２呼ダイヤル前に、通話者Ｂが保留状態の電話端末Ｂ４２をオンフックすると（Ｓ１５１８）、ＩＰ変換装置Ｂ２２は電話端末Ｂ４２のオンフックを検知し、加入者サーバＢ３２→加入者サーバＡ３１→アプリケーションサーバ１０ａの順に切断信号（例えばＳＩＰでは「ＢＹＥ」）を送信する（Ｓ１５１９〜Ｓ１５２１）。
切断信号を受信したアプリケーションサーバ１０ａの通話制御部５１ａは、切断信号に含まれる電話端末Ｂ４２の電話番号を基に、離脱条件判定を行う（Ｓ１５２２）。アプリケーションサーバ１０ａの通話制御部５１ａは切断信号（例えばＳＩＰでは「ＢＹＥ」）を加入者サーバＡ３１→ＩＰ変換装置Ａ２１ａの順に送信する（Ｓ１５２３，Ｓ１５２４）。
【００７６】
切断信号を受信したＩＰ変換装置Ａ２１ａの処理部５４は、電話端末Ａ４１へビジートーン（ＢＴ）を送出する（Ｓ１５２５）とともに、加入者サーバＡ３１→アプリケーションサーバ１０ａ→加入者サーバＡ３１→加入者サーバＢ３２→ＩＰ変換装置Ｂ２２の順に切断応答信号（例えばＳＩＰでは「２００」）を送信する（Ｓ１５２６〜Ｓ１５３０）。切断応答信号を送信した後、アプリケーションサーバ１０ａの三者通話動作制御部５３は自身の状態を「空き」の状態へ遷移させる（Ｓ１５３１）。
そして、通話者Ａは、電話端末Ａ４１をオンフックし（Ｓ１５３２）、通話が終了する。
【００７７】
（電話端末Ｂ４２保留〜電話端末Ｂ４２切断〜電話端末Ａ４１−電話端末Ｃ４３通話）
図９は、第１実施形態に係る電話端末Ｂ保留中に電話端末Ｂの通話が切断され、電話端末Ａと電話端末Ｃとの間の二者通話になるまでの処理の手順を示すシーケンス図である。図９は、図２のステップＳ２０５〜Ｓ２１３を経由してステップＳ２１６までの動作を示すものである。
図５の電話端末Ｂ４２保留（第１呼保留）、電話端末Ｃ４３呼出（第２呼呼出）中の状態で、アプリケーションサーバ１０ａの状態が「第２呼呼出中」となっているとする。
図５の処理においてなされた第１呼保留および第２呼呼出中に、通話者Ｂが保留状態の電話端末Ｂ４２をオンフックすると（Ｓ１６０１）、このオンフックを検知したＩＰ変換装置Ｂ２２は、加入者サーバＢ３２→加入者サーバＡ３１→アプリケーションサーバ１０ａの順に切断信号（例えばＳＩＰでは「ＢＹＥ」）を送信する（Ｓ１６０２〜Ｓ１６０４）。
切断信号を受信したアプリケーションサーバ１０ａの通話制御部５１ａは、第２呼呼出中における電話端末Ｂ４２のオンフックは、第１呼切断（電話端末Ｂ４２離脱）と判定する離脱条件判定を行う（Ｓ１６０５）。この判定基準は、後記する第２実施形態、第３実施形態でも同様である。アプリケーションサーバ１０ａの通話制御部５１ａは加入者サーバＡ３１→ＩＰ変換装置Ａ２１ａの順に切断信号（例えばＳＩＰでは「ＢＹＥ」）を送信する（Ｓ１６０６，Ｓ１６０７）。
【００７８】
切断信号を受信したＩＰ変換装置Ａ２１ａの処理部５４は、電話端末Ｂ４２と電話端末Ａ４１との間の回線切断を行う（Ｓ１６０８）とともに、加入者サーバＡ３１→アプリケーションサーバ１０ａの順に切断応答信号（例えばＳＩＰでは「２００」）を送信する（Ｓ１６０９，Ｓ１６１０）。
切断応答信号を受信したアプリケーションサーバ１０ａの三者通話動作制御部５３は、自身の状態を「第１呼呼出中」に遷移させる（Ｓ１６１１）。また、切断応答信号送信後、アプリケーションサーバ１０ａの三者通話動作制御部５３は、フッキング許容指示を行う（Ｓ１６１３）。
そして、アプリケーションサーバ１０ａの三者通話動作制御部５３は、加入者サーバＡ３１→加入者サーバＢ３２→ＩＰ変換装置Ｂ２２の順に切断応答信号（例えばＳＩＰでは「２００」）を送信し（Ｓ１６１４〜Ｓ１６１６）、さらに加入者サーバＡ３１→ＩＰ変換装置Ａ２１ａの順にフッキング許容指示を含む通知信号（例えばＳＩＰでは「ＩＮＦＯ（三者通話許容）」）を送信する（Ｓ１６１７，Ｓ１６１８）。
【００７９】
通知信号を受信したＩＰ変換装置Ａ２１ａの処理部５４は、電話端末Ａ４１のフッキング監視を行う（Ｓ１６１９）。
ＩＰ変換装置Ａ２１ａの処理部５４は、電話端末Ａ４１のフッキング状態を応答信号（例えばＳＩＰであれば「２００」）として加入者サーバＡ３１→アプリケーションサーバ１０ａの順に送信する（Ｓ１６２０，Ｓ１６２１）。
【００８０】
通話者Ｃが電話端末Ｃ４３をオフフックすると（Ｓ１６２２）、このオフフックを検知したＩＰ変換装置Ｃ２３が、応答信号（例えばＳＩＰであれば「２００（ＳＤＰ＿２を搭載）」：ＳＤＰ＿２はＩＰ変換装置Ｃ２３の接続情報）を加入者サーバＣ３３→加入者サーバＡ３１→アプリケーションサーバ１０ａ→加入者サーバＡ３１→ＩＰ変換装置Ａ２１ａの順に送信する（Ｓ１６２３〜Ｓ１６２７）。
応答信号を受信したＩＰ変換装置Ａ２１ａの処理部５４は、応答確認信号（例えばＳＩＰであれば「ＡＣＫ」）を加入者サーバＡ３１→アプリケーションサーバ１０ａ→加入者サーバＡ３１→加入者サーバＣ３３→ＩＰ変換装置Ｃ２３の順に送信する（Ｓ１６２８〜Ｓ１６３２）。
【００８１】
そして、電話端末Ａ４１と電話端末Ｃ４３との回線が接続し、電話端末Ａ４１と電話端末Ｃ４３との通話（第２呼通話）が成立する（Ｓ１６３３）。なお、応答確認信号を送信したアプリケーションサーバ１０ａの三者通話動作制御部５３は自身の状態を「第１呼通話」の状態へ遷移させる（Ｓ１６３４）。ここで、成立した通話が第２呼通話なのに、状態が「第１呼通話」となるのは、電話端末Ｂ４２との通話が切断されているため、電話端末Ａ４１と電話端末Ｃ４３との通話は、２番目の通話（第２呼通話）であるが、形態としては、第１呼目通話の状態であり、新たな第２呼目を受け付けられる状態となるため、第１呼通話となる。これは、後記する第２実施形態、第３実施形態でも同様である。
【００８２】
（第１実施形態の効果）
第１実施形態によれば、ＩＰ網上で三者通話を行うことができる。また、三者通話に係る多様なサービスは、加入者サーバ３０やアプリケーションサーバ１０ａにてその処理を担わせ、ＩＰ変換装置２０は極力軽微（基本呼処理に徹する）にすることができる。さらに、第１実施形態によれば、レガシーなＰＳＴＮと同様の操作手順で使用できる三者通話システム１ａを構築することができる。
【００８３】
《第２実施形態》
次に、図１０〜図１６を参照して、本発明の第２実施形態について説明する。
【００８４】
＜システム構成＞
図１０は、第２実施形態に係る三者通話システムの構成例を示す図である。
図１０において、図３と異なる点は、通話制御部５１ｂ（通話制御部５１）が、ＩＰ変換装置Ａ２１ｂで実行されている点である。それ以外は、図３と同様であるため、説明を省略する。
【００８５】
＜処理＞
（電話端末Ａ４１〜電話端末Ａ４１−電話端末Ｂ４２間通話まで）
図１１は、第２実施形態に係る電話端末Ａ−電話端末Ｂ間通話（第１呼通話）までの処理の手順を示すシーケンス図である。図１１は、図２のステップＳ２０１までの状態までの動作を示すものである。
【００８６】
まず、電話端末Ａ４１がオフフックされると（Ｓ２１０１）、このオフフックを検知したＩＰ変換装置Ａ２１ｂの処理部５４が電話端末Ａ４１へダイヤルトーン（ＤＴ）を送出する（Ｓ２１０２）。ＩＰ変換装置Ａ２１ｂの処理部５４は電話端末Ａ４１からのダイヤルを受信すると（Ｓ２１０３）、着信者電話番号と発信者電話番号をＩＰパケットに変換し、電話端末Ａ４１を管理している加入者サーバＡ３１へ呼設定信号（例えばＳＩＰではＩＮＶＩＴＥ（ＳＤＰ＿３を搭載）：ＳＤＰ＿３はＩＰ変換装置Ａ２１ｂの接続情報）を送信する（Ｓ２１０４）。
呼設定信号を受信した加入者サーバＡ３１は、呼設定信号に含まれている着信者電話番号が、自身の記憶装置に格納されている契約者リストに登録されているか否かを判定することで三者通話契約者判定を行う（Ｓ２１０５）。なお、三者通話サービスでは、例えば、カスタマコントロールのような三者通話に不適切なサービスの場合に三者通話を許容しない。
【００８７】
ステップＳ２１０５の結果、許容の場合、加入者サーバＡ３１は、三者通話サービスを起動するため、アプリケーションサーバ１０ｂへ呼設定信号（例えばＳＩＰではＩＮＶＩＴＥ（ＳＤＰ＿３を搭載））を送信する（Ｓ２１０６）。呼設定信号を受信したアプリケーションサーバ１０ｂの三者通話動作制御部５３は、呼設定信号に含まれている着信者電話番号が、自身の記憶装置に格納されている契約者リストに登録されているか否かを判定することで三者通話契約者判定を行い（Ｓ２１０７）、自身の状態を「三者通話許容」の状態へ遷移させる（Ｓ２１０８）。
そして、アプリケーションサーバ１０ｂの三者通話動作制御部５３は、呼設定信号（例えばＳＩＰではＩＮＶＩＴＥ（ＳＤＰ＿３を搭載））を、加入者サーバＡ３１→加入者サーバＢ３２→ＩＰ変換装置Ｂ２２の順に送信する（Ｓ２１０９〜Ｓ２１１１）ルーチングを行う。
【００８８】
呼設定信号を受信したＩＰ変換装置Ｂ２２は、電話端末Ｂ４２を呼び出す（Ｓ２１１２）とともに、呼出信号（例えばＳＩＰであれば「１８０」）を加入者サーバＢ３２→加入者サーバＡ３１→アプリケーションサーバ１０ｂ→加入者サーバＡ３１→ＩＰ変換装置Ａ２１ｂの順に送信する（Ｓ２１１３〜Ｓ２１１７）。呼出信号を受信したＩＰ変換装置Ａ２１ｂの処理部５４は、電話端末４０にリングバックトーン（ＲＢＴ）を送出する（Ｓ２１１８）。
【００８９】
通話者Ｂが呼び出しに応答し、電話端末Ｂ４２がオフフックされると（Ｓ２１１９）、このオフフックを検出したＩＰ変換装置Ｂ２２が、加入者サーバＢ３２→加入者サーバＡ３１→アプリケーションサーバ１０ｂ→加入者サーバＡ３１→ＩＰ変換装置Ａ２１ｂの順に応答信号（例えばＳＩＰであれば「２００（ＳＤＰ＿１を搭載）」）を送信する（Ｓ２１２０〜Ｓ２１２４）。
応答信号を受信したＩＰ変換装置Ａ２１ｂの処理部５４は、加入者サーバＡ３１→アプリケーションサーバ１０ｂ→加入者サーバＡ３１→加入者サーバＢ３２→ＩＰ変換装置Ｂ２２の順に応答確認信号（例えばＳＩＰではＡＣＫ）を送信する（Ｓ２１２５〜Ｓ２１２９）。
【００９０】
応答確認信号の受信・送信を行ったアプリケーションの三者通話動作制御部５３は、フッキング許容指示を行い（Ｓ２１３０）、フッキング許容指示を含む通知信号（例えばＳＩＰではＩＮＦＯ（三者通話許容））を加入者サーバＡ３１→ＩＰ変換装置Ａ２１ｂの順に送信する（Ｓ２１３１，Ｓ２１３２）。
【００９１】
通知信号を受信したＩＰ変換装置Ａ２１ｂの処理部５４は、電話端末Ａ４１のフッキングを監視し（Ｓ２１３３）、自身の状態を「三者通話許容」の状態へ遷移させる（Ｓ２１３５）。
そして、ＩＰ変換装置Ａ２１ｂの処理部５４は、応答信号（例えばＳＩＰであれば「ＩＮＦＯ（２００））を加入者サーバＡ３１→アプリケーションサーバ１０ｂの順に送信する（Ｓ２１３６，Ｓ２１３７）。
なお、フッキング許容指示は、アプリケーションサーバ１０ｂからＩＰ変換装置２０へ送信する呼出信号（例えばＳＩＰでは「１８０」）（Ｓ２１１６）および呼設定信号（Ｓ２１０９）において送信してもよい。この場合、ステップＳ２１３１における通知信号および通知信号に対する応答信号（Ｓ２１３６）は不要となる。
【００９２】
なお、電話端末Ｂ４２から電話端末Ａ４１を呼び出してもよい。この場合、図１１とは処理の順序が逆となる。
【００９３】
（電話端末Ａ４１−電話端末Ｂ４２間通話〜電話端末Ｃ４３呼出まで）
図１２は、第２実施形態に係る電話端末Ａ−電話端末Ｂ間通話〜電話端末Ｃ呼出（第２呼呼出）までの処理の手順を示すシーケンス図である。図１２は、図２のステップＳ２０１〜Ｓ２０５までの動作を示すものである。
まず、図１１で行われた電話端末Ａ４１と電話端末Ｂ４２とが通話状態（第１呼通話中）の状態であり、ＩＰ変換装置Ａ２１ｂおよびアプリケーションサーバ１０ｂの状態が「三者通話許容」であるとする。
まず、図４で行われた電話端末Ａ４１と電話端末Ｂ４２とが通話状態（第１呼通話中）の状態で、通話者Ｃも通話者に加えた三者通話を行うために、通話者Ａは、電話端末Ａ４１のフックボタンを操作（フッキング）する（Ｓ２２０１）。
【００９４】
ＩＰ変換装置Ａ２１ｂの処理部５４は、電話端末Ａ４１のフッキングを検出し（Ｓ２２０２）、フッキング通知を行って（Ｓ２２０３）、加入者サーバＡ３１→アプリケーションサーバ１０ｂの順にフッキング通知を含む通知信号（例えばＳＩＰでは「ＩＮＦＯ（フッキング通知）」）を送信する（Ｓ２２０４，Ｓ２２０５）。
フッキング通知を含む通知信号を受信したアプリケーションサーバ１０ｂの三者通話動作制御部５３は自身の状態を「三者通話開始中」の状態へ遷移させ（Ｓ２２０６）、加入者サーバＡ３１→ＩＰ変換装置Ａ２１ｂの順に応答信号（例えばＳＩＰでは「２００」）を送信する（Ｓ２２０７，Ｓ２２０８）。
【００９５】
応答信号を受信したＩＰ変換装置Ａ２１ｂの通話制御部５１ｂは、自身の状態を「第２呼ダイヤル中」に遷移させ（Ｓ２２０９）、第２呼発信を行い（Ｓ２２１０）、電話端末Ａ４１へ第２ダイヤルトーン（ＳＤＴ）を送出する（Ｓ２２１１）とともに、電話端末Ｂ４２へ保留音を送出する（Ｓ２２１２）ことによって電話端末Ｂ４２を保留状態とする。これにより、ＩＰ変換装置Ａ２１ｂが自律にて第２呼発信可能な状態となる。
【００９６】
通話者Ａが、電話端末Ｃ４３の電話番号をダイヤル（第２呼ダイヤル）し（Ｓ２２１３）、ＩＰ変換装置Ａ２１ｂの処理部５４は、電話端末Ａ４１からの第２呼ダイヤルを受信すると、加入者サーバＡ３１→アプリケーションサーバ１０ｂの順に三者通話第２呼発信の情報を含む呼設定信号（例えばＳＩＰでは「ＩＮＶＩＴＥ（ＳＤＰ＿３＿２を搭載）：ＳＤＰ＿３＿２はＩＰ変換装置Ａ２１ｂの接続情報）を送信する（Ｓ２２１４，Ｓ２２１５）。
呼設定信号を受信したアプリケーションサーバ１０ｂの三者通話動作制御部５３は、自身の状態を「第２呼発信」の状態へ遷移させ（Ｓ２２１６）、呼設定信号に含まれる着信者電話番号（第２呼の接続先）を基に、第２呼の接続先がフリーダイヤルなど、三者通話に適切ではない接続先ではないか否かを判定する第２呼発信許容判定を行う（Ｓ２２１７）。なお、三者通話サービスにおける第２呼発信許容判定では、例えば、カスタマコントロールのような三者通話に不適切なサービスの場合に三者通話を許容しない。
【００９７】
第２呼発信許容判定の結果、許容であれば、アプリケーションサーバ１０ｂの三者通話動作制御部５３は、加入者サーバＡ３１→加入者サーバＣ３３→ＩＰ変換装置Ｃ２３へ呼設定信号（例えばＳＩＰでは「ＩＮＶＩＴＥ（ＳＤＰ＿３＿２を搭載））を送信する（Ｓ２２１８〜Ｓ２２２０）ルーチングを行う。
【００９８】
呼設定信号を受信したＩＰ変換装置Ｃ２３は、電話端末Ｃ４３を呼び出す（Ｓ２２２１）とともに、加入者サーバＣ３３→加入者サーバＡ３１→アプリケーションサーバ１０ｂの順に呼出信号（例えばＳＩＰでは「１８０」）を送信する（Ｓ２２２２〜Ｓ２３２４）。呼出信号を受信したアプリケーションサーバ１０ｂの三者通話動作制御部５３は自身の状態を「第２呼呼出中」の状態へ遷移させる（Ｓ２２２５）。
そして、アプリケーションサーバ１０ｂの三者通話動作制御部５３は、加入者サーバＡ３１→ＩＰ変換装置Ａ２１ｂの順に呼出信号（例えばＳＩＰでは「１８０」）を送信する（Ｓ２２２６，Ｓ２２２７）。呼出信号を受信したＩＰ変換装置Ａ２１ｂの処理部５４は、電話端末Ａ４１へリングバックトーン（ＲＢＴ）を送出し（Ｓ２２２８）、自身の状態を「第２呼呼出中」の状態へ遷移させる（Ｓ２２２９）。
【００９９】
（電話端末Ｃ４３呼出〜三者通話）
図１３は、第２実施形態に係る電話端末Ｃ呼出（第２呼呼出）〜三者通話が行われるまでの処理の手順を示すシーケンス図である。図１３は、図２のステップＳ２０５〜Ｓ２０９までの動作を示すものである。
図１２の処理の結果、第１呼（電話端末Ａ４１−電話端末Ｂ４２）が保留となっており、電話端末Ｃ４３呼出（第２呼呼出）の状態であり、アプリケーションサーバ１０ｂの状態が「第２呼呼出中」であるとする。
図１２の処理の結果、第１呼（電話端末Ａ４１−電話端末Ｂ４２）が保留となっており、第２呼呼出中の状態で、通話者Ｃが通話のために電話端末Ｃ４３をオフフックすると（Ｓ２３０１）、このオフフックを検知したＩＰ変換装置Ｃ２３が応答信号（例えばＳＩＰであれば「２００（ＳＤＰ＿２を搭載）」：ＳＤＰ＿２はＩＰ変換装置Ｃ２３の接続情報）を加入者サーバＣ３３→加入者サーバＡ３１→アプリケーションサーバ１０ｂ→加入者サーバＡ３１→ＩＰ変換装置Ａ２１ｂの順に送信する（Ｓ２３０２〜Ｓ２３０６）。
【０１００】
応答信号を受信したＩＰ変換装置Ａ２１ｂの処理部５４は、加入者サーバＡ３１→アプリケーションサーバ１０ｂ→加入者サーバＡ３１→加入者サーバＣ３３→ＩＰ変換装置Ｃ２３の順に応答確認信号（例えばＳＩＰであれば「ＡＣＫ」）を送信する（Ｓ２３０７〜Ｓ２３１１）。
なお、応答確認信号を送信したＩＰ変換装置Ａ２１ｂの通話制御部５１ｂは自身の状態を「第２呼通話中」の状態へ遷移させ（Ｓ２３１２）、応答確認信号を受信・送信したアプリケーションサーバ１０ｂの三者通話動作制御部５３は自身の状態を「第２呼通話中」の状態へ遷移させる（Ｓ２３１３）。
これにより、電話端末Ａ４１と、電話端末Ｃ４３との間の通話が可能となる（Ｓ２３１４）。
【０１０１】
通話者Ａが、電話端末Ａ４１のフックボタンを操作（フッキング）する（Ｓ２３１５）と、ＩＰ変換装置Ａ２１ｂの処理部５４は、このフッキングを検出し（Ｓ２３１６）、ＩＰ変換装置Ａ２１ｂの通話制御部５１ｂは音声ミキシング部５２ｂを実行させ（Ｓ２３１７）、三者通話状態とする（Ｓ２３１８）。なお、音声ミキシング部５２ｂを実行したＩＰ変換装置Ａ２１ｂの通話制御部５１ｂは自身の状態を「三者通話中」の状態へ遷移させる（Ｓ２３１９）。
【０１０２】
（三者通話〜電話端末Ｃ４３切断）
図１４は、第２実施形態に係る三者通話（音声ミキシング）〜電話端末Ｃ（第２呼）切断までの処理の手順を示すシーケンス図である。図１４は、図２のステップＳ２０９〜Ｓ２０１までの動作を示すものである。
図１３の結果、三者通話（音声ミキシング）となっており、ＩＰ変換装置Ａ２１ｂの状態が「三者通話中」の状態であり、アプリケーションサーバ１０ｂの状態が「第２呼通話中」であるものとする。
【０１０３】
通話者Ａは、電話端末Ａ４１のフックボタンを操作（フッキング）する（Ｓ２４０１）ことにより、ＩＰ変換装置Ａ２１ｂの処理部５４は、このフッキングを検出し（Ｓ２４０２）、三者通話中に電話端末Ａ４１のフッキングが行われたときには、通話者Ｃの第２呼通話を切断するという離脱条件判定を行う（Ｓ２４０３）。三者通話中に電話端末Ａ４１のフッキングが行われたときには、通話者Ｃの第２呼通話を切断するという離脱条件は、ＩＰ変換装置Ａ２１ｂに予め設定されているものである。そして、ＩＰ変換装置Ａ４１ｂの処理部５４は、電話端末Ｃ４３との回線を切断して、第２呼の切断を行う（Ｓ２４０４）。
離脱条件判定を行ったＩＰ変換装置Ａ２１ｂの処理部５４は、加入者サーバＡ３１→アプリケーションサーバ１０ｂ→加入者サーバＡ３１→加入者サーバＣ３３→ＩＰ変換装置Ｃ２３の順に切断信号（例えばＳＩＰでは「ＢＹＥ」）を送信する（Ｓ２４０５〜Ｓ２４０９）。
【０１０４】
切断信号を受信したＩＰ変換装置Ｃ２３は、電話端末Ｃ４３へビジートーン（ＢＴ）を送出する（Ｓ２４１０）ことにより、電話端末Ｃ４３との回線を切断するとともに、加入者サーバＣ３３→加入者サーバＡ３１→アプリケーションサーバ１０ｂ→加入者サーバＡ３１→ＩＰ変換装置Ａ２１ｂの順に切断応答信号（例えばＳＩＰでは「２００」）を送信する（Ｓ２４１１〜Ｓ２４１５）。
切断応答信号を受信したＩＰ変換装置Ａ２１ｂの通話制御部５１ｂは、実行されている音声ミキシング部５２ｂを停止し（Ｓ２４１６）、音声ミキシング機能を介さない通話者Ａと通話者Ｂとの間での第１呼通話とする（Ｓ２４１７）。なお、切断応答信号の受信・送信を行ったアプリケーションサーバ１０ｂの三者通話動作制御部５３は自身の状態を「三者通話許容」の状態へ遷移させ（Ｓ２４１８）、音声ミキシング機能を停止したＩＰ変換装置Ａ２１ｂの通話制御部５１ｂは自身の状態を「三者通話許容」の状態へ遷移させる（Ｓ２４１９）。
【０１０５】
（電話端末Ａ４１−電話端末Ｂ４２間通話〜通話終了）
図１５は、第２実施形態に係る電話端末Ａ−電話端末Ｂ間通話（第１呼通話）〜通話終了までの処理の手順を示すシーケンス図である。図１５は、図２のステップＳ２０３〜Ｓ２１１〜Ｓ２１２までの動作を示すものである。
図１１または図１４の結果、電話端末Ａ４１−電話端末Ｂ４２間通話（第１呼通話）中であり、ＩＰ変換装置Ａ２１ｂおよびアプリケーションサーバ１０ｂの状態が「三者通話許容」であるとする。
第１呼通話中に通話者Ａが電話端末Ａ４１のフックボタンを操作（フッキング）する（Ｓ２５０１）ことにより、ＩＰ変換装置Ａ２１ｂの処理部５４が、このフッキングを検出し（Ｓ２５０２）、フッキング通知を行い（Ｓ２５０３）、加入者サーバＡ３１→アプリケーションサーバ１０ｂの順にフッキング通知を含む通知信号（例えばＳＩＰでは「ＩＮＦＯ（フッキング通知）」）を送信する（Ｓ２５０４，Ｓ２５０５）。
通知信号を受信したアプリケーションサーバ１０ｂの三者通話動作制御部５３は自身の状態を「三者通話開始中」の状態へ遷移させ（Ｓ２５０６）、加入者サーバＡ３１→ＩＰ変換装置Ａ２１ｂの順に応答信号（例えばＳＩＰでは「２００」）を送信する（Ｓ２５０７，Ｓ２５０８）。
【０１０６】
応答信号を受信したＩＰ変換装置Ａ２１ｂの通話制御部５１ｂは、自身の状態を「第２呼ダイヤル中」に遷移させ（Ｓ２５０９）、第２呼発信を行って（Ｓ２５１０）、電話端末Ａ４１へ第２ダイヤルトーン（ＳＤＴ）を送出する（Ｓ２５１１）とともに、電話端末Ｂ４２へ保留音を送出する（Ｓ２５１２）ことで電話端末Ｂ４２を保留状態とし、ＩＰ変換装置Ａ２１ｂが自律にて第２呼発信可能な状態となる。
ここで、通話者Ａによる第２呼ダイヤル前に、通話者Ｂが保留状態の電話端末Ｂ４２をオンフックすると（Ｓ２５１３）、ＩＰ変換装置Ｂ２２は、このオンフックを検知し、加入者サーバＢ３２→加入者サーバＡ３１→アプリケーションサーバ１０ｂ→加入者サーバＡ３１→ＩＰ変換装置Ａ２１ｂの順に切断信号（例えばＳＩＰでは「ＢＹＥ」）を送信する（Ｓ２５１４〜Ｓ２５１８）ルーチングを行う。
【０１０７】
切断信号を受信したＩＰ変換装置Ａ２１ｂの通話制御部５１ｂは、電話端末Ｂ４２からの切断信号により、電話端末Ｂ４２との回線を切断する離脱条件判定を行う（Ｓ２５１９）。
離脱条件判定で電話端末Ｂ４２との切断を判定したＩＰ変換装置Ａ２１ｂ処理部５４は、電話端末Ａ４１へビジートーン（ＢＴ）を送出する（Ｓ２５２０）とともに、加入者サーバＡ３１→アプリケーションサーバ１０ｂ→加入者サーバＡ３１→加入者サーバＢ３２→ＩＰ変換装置Ｂ２２の順に切断応答信号（例えばＳＩＰでは「２００」）を送信する（Ｓ２５２１〜Ｓ２５２５）。
なお、切断応答信号を送信したＩＰ変換装置Ａ２１ｂの通話制御部５１ｂは自身の状態を「空き」へ遷移させ（Ｓ２５２６）、切断応答信号の受信・送信を行ったアプリケーションサーバ１０ｂの三者通話動作制御部５３は自身の状態を「空き」へ遷移させる（Ｓ２５２７）。
そして、通話者Ａが電話端末Ａ４１をオンフックし（Ｓ２５２８）、通話が終了する。
【０１０８】
（電話端末Ｂ４２保留〜電話端末Ｂ４２切断〜電話端末Ａ４１−電話端末Ｃ４３通話）
図１６は、第２実施形態に係る電話端末Ｂ保留中に電話端末Ｂの通話が切断され、電話端末Ａと電話端末Ｃとの間の二者通話になるまでの処理の手順を示すシーケンス図である。図１６は、図２のステップＳ２０５〜Ｓ２１３を経由してステップＳ２１６までの動作を示すものである。
図１６の電話端末Ｂ４２保留（第１呼保留）、電話端末Ｃ４３呼出（第２呼呼出）中の状態で、アプリケーションサーバ１０ｂの状態が「第２呼呼出中」となっているとする。
【０１０９】
図１２の処理においてなされた第１呼保留および第２呼呼出中に、通話者Ｂが保留状態の電話端末Ｂ４２をオンフックすると（Ｓ２６０１）、ＩＰ変換装置Ｂ２２は、このオンフックを検知し、加入者サーバＢ３２→加入者サーバＡ３１→アプリケーションサーバ１０ｂの順に切断信号（例えばＳＩＰでは「ＢＹＥ」）を送信する（Ｓ２６０２，Ｓ２６０３）。切断信号を受信したアプリケーションサーバ１０ｂの通話制御部５１ｂは、第２呼呼出中の切断信号受信により、電話端末Ｂ４２と電話端末Ａ４１の間の回線切断を行う離脱条件判定を行う（Ｓ２６０４）。
【０１１０】
そして、アプリケーションサーバ１０ｂの通話制御部５１ｂは、加入者サーバＡ３１→ＩＰ変換装置Ａ２１ｂの順に切断信号（例えばＳＩＰでは「ＢＹＥ」）を送信する（Ｓ２６０５，Ｓ２６０６）。
切断信号を受信したＩＰ変換装置Ａ２１ｂの通話制御部５１ｂは、第２呼呼出中の切断信号受信により、電話端末Ｂ４２と電話端末Ａ４１の間の回線切断を行う離脱条件判定を行い（Ｓ２６０７）、処理部５４が、判定に従って回線切断を行うと（Ｓ２６０８）、加入者サーバＡ３１→アプリケーションサーバ１０ｂの順に切断応答信号（例えばＳＩＰでは「２００」）を送信する（Ｓ２６０９、Ｓ２６１０）。切断応答信号を送信したＩＰ変換装置Ａ２１ｂの処理部５４は自身の状態を「第１呼呼出中」の状態へ遷移させ（Ｓ２６１１）、切断応答信号を受信したアプリケーションサーバ１０ｂの三者通話動作制御部５３は自身の状態を「第１呼呼出中」の状態へ遷移させる（Ｓ２６１２）。
【０１１１】
その後、アプリケーションサーバ１０ｂの三者通話動作制御部５３は、加入者サーバＡ３１→加入者サーバＢ３２→ＩＰ変換装置Ｂ２２の順に切断応答信号（例えばＳＩＰでは「２００」）を送信する（Ｓ２６１３〜Ｓ２６１５）。
切断応答信号を送信したアプリケーションサーバ１０ｂの三者通話動作制御部５３は、フッキング許容指示を行って（Ｓ２６１７）、加入者サーバＡ３１→ＩＰ変換装置Ａ２１ｂの順にフッキング許容指示を含む通知信号（例えばＳＩＰでは「ＩＮＦＯ（三者通話許容）」）を送信する（Ｓ２６１８，Ｓ２６１９）。
通知信号を受信したＩＰ変換装置Ａ２１ｂの処理部５４は、電話端末Ａ４１のフッキング監視を行い（Ｓ２６２０）、加入者サーバＡ３１→アプリケーションサーバ１０ｂの順に応答信号（例えばＳＩＰでは「２００」）を送信する（Ｓ２６２１，Ｓ２６２２）。
【０１１２】
電話端末Ｃ４３がオフフックされることにより（Ｓ２６２３）、ＩＰ変換装置Ｃ２３がこのオフフックを検知すると、ＩＰ変換装置Ｃ２３は、加入者サーバＣ３３→加入者サーバＡ３１→アプリケーションサーバ１０ｂ→加入者サーバＡ３１→ＩＰ変換装置Ａ２１ｂの順に応答信号（例えばＳＩＰでは「２００（ＳＤＰ＿２を搭載）」：＿ＳＤＰ＿２はＩＰ変換装置Ｃ２３の接続情報）を送信する（Ｓ２６２４〜Ｓ２６２８）。
応答信号を受信したＩＰ変換装置Ａ２１ｂの処理部５４は、加入者サーバＡ３１→アプリケーションサーバ１０ｂ→加入者サーバＡ３１→加入者サーバＣ３３→ＩＰ変換装置Ｃ２３の順に応答確認信号（例えばＳＩＰでは「ＡＣＫ」）を送信する（Ｓ２６２９〜Ｓ２６３３）。
これにより、電話端末Ａ４１と、電話端末Ｃ４３とが通話状態とする（Ｓ２６３４）。
なお、応答確認信号を送信したＩＰ変換装置Ａ２１ｂの通話制御部５１ｂは自身の状態を「第１呼通話」の状態へ遷移させ（Ｓ２６３５）、応答確認信号を受信・送信したアプリケーションサーバ１０ｂの三者通話動作制御部５３は自身の状態を「三者通話許容」の状態へ遷移させる（Ｓ２６３６）。
【０１１３】
（第２実施形態の効果）
第２実施形態によれば、三者通話用トランクの制御が中心であることから、ＩＰ変換装置２０内にて閉じて機能を持たせた方が、処理を加入者サーバ３０／アプリケーションサーバ１０ｂに分散させるよりも、処理が効率的となる面がある。つまり、ＩＰ変換装置２１ｂ上で音声ミキシングを自律的に実行するので、第１次実施形態と同様の効果に加えて、電話端末Ａ４１からのフッキングの検知をアプリケーションサーバ１０ｂへ通知するのが、初回のみとなり、処理効率を向上させることができる。なお、アプリケーションサーバ１０ｂは、他の通話サービスの管理も行っている関係上、他のサービスとの競合関係から、三者通話開始の通知である初回のフッキングのみはアプリケーションサーバ１０ｂへ通知する必要がある。
【０１１４】
《第３実施形態》
＜システム構成＞
図１７は、第３実施形態に係る三者通話システムの構成例を示す図である。
図１７において、図３と異なる点は、音声ミキシング部５２ａに相当する音声ミキシング装置５２ｃが独立した装置としてアプリケーションサーバ１０ｃに接続している点である。それ以外は、図３と同様であるため、説明を省略する。なお、図１７では、図１８以降のシーケンス図が煩雑になるのを避けるため、図３の加入者サーバＣ３３を省略し、ＩＰ変換装置Ｃ２３が加入者サーバＡ３１に接続されている状態となっているが、図３のようにＩＰ変換装置Ｃ２３が加入者サーバＣ３３を介して加入者サーバＡ３１に接続されてもよい。
【０１１５】
＜処理＞
【０１１６】
（電話端末Ａ４１〜電話端末Ａ４１−電話端末Ｂ４２間通話まで）
図１８は、第３実施形態に係る電話端末Ａ−電話端末Ｂ間通話（第１呼通話）までの処理の手順を示すシーケンス図である。図１８は、図２のステップＳ２０１までの状態までの動作を示すものである。
【０１１７】
まず、電話端末Ａ４１がオフフックされると（Ｓ３１０１）、このオフフックを検知したＩＰ変換装置Ａ２１ｃの処理部５４が電話端末Ａ４１へダイヤルトーン（ＤＴ）を送出する（Ｓ３１０２）。ＩＰ変換装置Ａ２１ｃの処理部５４は電話端末Ａ４１からのダイヤルを受信すると（Ｓ３１０３）、着信者電話番号と発信者電話番号をＩＰパケットに変換し、電話端末Ａ４１を管理している加入者サーバＡ３１へ呼設定信号（例えばＳＩＰではＩＮＶＩＴＥ（ＳＤＰ＿３を搭載）：ＳＤＰ＿３はＩＰ変換装置Ａ２１ｃの接続情報）を送信する（Ｓ３１０４）。
呼設定信号を受信した加入者サーバＡ３１は、呼設定信号に含まれている着信者電話番号が、自身の記憶装置に格納されている契約者リストに登録されているか否かを判定することで三者通話契約者判定を行う（Ｓ３１０５）。なお、三者通話サービスでは、例えば、カスタマコントロールのような三者通話に不適切なサービスの場合に三者通話を許容しない。
【０１１８】
ステップＳ３１０５の結果、許容の場合、加入者サーバＡ３１は、三者通話サービスを起動するため、アプリケーションサーバ１０ｃへ呼設定信号（例えばＳＩＰではＩＮＶＩＴＥ（ＳＤＰ＿３を搭載）：ＳＤＰ＿３はＩＰ変換装置Ａ２１ｃの接続情報）を送信する（Ｓ３１０６）。
呼設定信号を受信したアプリケーションサーバ１０ｃの三者通話動作制御部５３は、呼設定信号に含まれている着信者電話番号が、自身の記憶装置に格納されている契約者リストに登録されているか否かを判定することで三者通話契約者判定を行い（Ｓ３１０７）、自身の状態を「三者通話許容」の状態へ遷移させる（Ｓ３１０８）。
そして、アプリケーションサーバ１０ｃの三者通話動作制御部５３は、呼設定信号（例えばＳＩＰではＩＮＶＩＴＥ（ＳＤＰ＿３を搭載））を加入者サーバＡ３１→加入者サーバＢ３２→ＩＰ変換装置Ｂ２２の順に送信する（Ｓ３１０９〜Ｓ３１１１）ルーチングを行う。
呼設定信号を受信したＩＰ変換装置Ｂ２２は、電話端末Ｂ４２を呼び出す（Ｓ３１１２）とともに、呼出信号（例えばＳＩＰでは「１８０」）を加入者サーバＢ３２→加入者サーバＡ３１→アプリケーションサーバ１０ｃ→加入者サーバＡ３１→ＩＰ変換装置Ａ２１ｃの順に送信する（Ｓ３１１３〜Ｓ３１１７）。
呼出信号を受信したＩＰ変換装置Ａ２１ｃの処理部５４は、電話端末４０にリングバックトーン（ＲＢＴ）を送出する（Ｓ３１１８）。
【０１１９】
通話者Ｂが呼び出しに応答し、電話端末Ｂ４２がオフフックされると（Ｓ３１１９）、このオフフックを検出したＩＰ変換装置Ｂ２２が、加入者サーバＢ３２→加入者サーバＡ３１→アプリケーションサーバ１０ｃ→加入者サーバＡ３１→ＩＰ変換装置Ａ２１ｃの順に応答信号（例えばＳＩＰでは「２００（ＳＤＰ＿１を搭載）」）を送信する（Ｓ３１２０〜Ｓ３１２４）。
応答信号を受信したＩＰ変換装置Ａ２１ｃの処理部５４は、加入者サーバＡ３１→アプリケーションサーバ１０ｃ→加入者サーバＡ３１→加入者サーバＢ３２→ＩＰ変換装置Ｂ２２の順に応答確認信号（例えばＳＩＰではＡＣＫ）を送信する（Ｓ３１２５〜Ｓ３１２９）。
【０１２０】
応答確認信号の受信・送信を行ったアプリケーションの三者通話動作制御部５３は、フッキング許容指示を行い（Ｓ３１３０）、加入者サーバＡ３１→ＩＰ変換装置Ａ２１ｃの順に、フッキング許容指示を含む通知信号（例えばＳＩＰであれば「ＩＮＦＯ（三者通話許容）」）を送信する（Ｓ３１３１，Ｓ３１３２）。
なお、フッキング許容指示は、アプリケーションサーバ１０ｃからＩＰ変換装置２０へ送信する呼出信号（例えばＳＩＰでは「１８０」）（Ｓ３１１６）および呼設定信号（Ｓ３１０９）において送信してもよい。この場合、ステップＳ３１３１の通知信号（例えばＳＩＰではＩＮＦＯ（三者通話許容））および通知信号に対する応答信号（例えばＳＩＰでは「２００」）（Ｓ３１３５）は不要となる。
【０１２１】
通知信号を受信したＩＰ変換装置Ａ２１ｃの処理部５４は、電話端末Ａ４１のフッキングを監視を行う（Ｓ３１３３）。これにより、電話端末Ａ４１−電話端末Ｂ４２間の二者通話が成立する（Ｓ３１３４）。
そして、ＩＰ変換装置Ａ２１ｃの処理部５４は、応答信号を加入者サーバＡ３１→アプリケーションサーバ１０ｃの順に送信し（Ｓ３１３５，Ｓ３１３６）、自身の状態を「三者通話許容」の状態へ遷移させる（Ｓ３１３７）。
【０１２２】
なお、電話端末Ｂ４２から電話端末Ａ４１を呼び出してもよい。この場合、図１８とは処理の順序が逆となる。
【０１２３】
（電話端末Ａ４１−電話端末Ｂ４２間通話〜電話端末Ｃ４３呼出まで）
図１９は、第３実施形態に係る電話端末Ａ−電話端末Ｂ間通話〜電話端末Ｃ呼出（第２呼呼出）までの処理の手順を示すシーケンス図である。図１９は、図２のステップＳ２０１〜Ｓ２０５までの動作を示すものである。
まず、図１８で行われた電話端末Ａ４１と電話端末Ｂ４２とが通話状態（第１呼通話中）の状態であり、ＩＰ変換装置Ａ２１ｃおよびアプリケーションサーバ１０ｃの状態が「三者通話許容」であるとする。
図１８で行われた電話端末Ａ４１と電話端末Ｂ４２とが通話状態（第１呼通話中）の状態で、通話者Ｃも通話者に加えた三者通話を行うために、通話者Ａは、電話端末Ａ４１のフックボタンを操作（フッキング）する（Ｓ３２０１）。
ＩＰ変換装置Ａ２１ｃの処理部５４は、このフッキングを検出し（Ｓ３２０２）、フッキング通知を行って（Ｓ３２０３）、加入者サーバＡ３１→アプリケーションサーバ１０ｃの順にフッキング通知を含む通知信号（例えばＳＩＰでは「ＩＮＦＯ（フッキング通知）」）を送信する（Ｓ３２０４，Ｓ３２０５）。
フッキング通知を含む通知信号を受信したアプリケーションサーバ１０ｃの通話制御部５１ｃは音声ミキシング装置５２ｃの会議リソースを捕捉する（Ｓ３２０６）。会議リソースとは、音声ミキシング装置５２ｃにおいて、音声をミキシングさせて三者通話を行うのに必要なリソースのことである。
そして、アプリケーションサーバ１０ｃの三者通話動作制御部５３は、自身の状態を「三者通話開始中」の状態へ遷移させ（Ｓ３２０７）、加入者サーバ３１→ＩＰ変換装置Ａ２１ｃの順に応答信号（例えばＳＩＰであれば「２００」）を送信する（Ｓ３２０８，Ｓ３２０９）。
【０１２４】
そして、アプリケーションサーバ１０ｃの通話制御部５１ｃは、第２呼発信指示を行い（Ｓ３２１０）、加入者サーバＡ３１→ＩＰ変換装置Ａ２１ｃの順に第２呼発信指示を含む通知信号（例えばＳＩＰでは「ＩＮＦＯ（第２呼発信指示）」）を送信する（Ｓ３２１１，Ｓ３２１２）。
【０１２５】
第２呼発信指示を含む通知信号を受信したＩＰ変換装置Ａ２１ｃの処理部５４は、第２呼発信を実行し（Ｓ３２１３）、契約者へ第２ダイヤルトーン（ＳＤＴ）を送出する（Ｓ３２１４）とともに、電話端末Ｂ４２へ保留音を送出して（Ｓ３２１５）、電話端末Ｂ４２を保留状態とし、通話者Ａが発信可能な状態とする。
このとき、ＩＰ変換装置Ａ２１ｃの処理部５４は、加入者サーバＡ３１→アプリケーションサーバ１０ｃの順に応答信号（例えばＳＩＰでは「２００」）を送信する（Ｓ３２１６，Ｓ３２１７）。
【０１２６】
通話者Ａが電話端末Ｃ４３の電話番号をダイヤル（第２呼ダイヤル）し（Ｓ３２１８）、ＩＰ変換装置Ａ２１ｃの処理部５４は、この第２呼ダイヤルを検知すると、加入者サーバＡ３１→アプリケーションの順に呼設定信号（例えばＳＩＰでは「ＩＮＶＩＴＥ（ＳＤＰ＿３＿２を搭載）：ＳＤＰ＿３＿２はＩＰ変換装置Ａ２１ｃの接続情報）（三者通話第２呼発信）を送信する（Ｓ３２１９，Ｓ３２２０）。
呼設定信号を受信したアプリケーションサーバ１０ｃの三者通話動作制御部５３は、受信した着信者電話番号（電話端末Ｃ４３の電話番号：第２呼の接続先）を基に、第２呼の接続先がフリーダイヤルなど、三者通話に適切でない接続先でないか否かを判定する第２呼発信許容判定を行う（Ｓ３２２１）。なお、三者通話サービスでは、例えば、カスタマコントロールのような三者通話に不適切なサービスの場合に三者通話を許容しない。
【０１２７】
第２呼発信許容判定の結果、許容であれば、アプリケーションサーバ１０ｃの三者通話動作制御部５３は加入者サーバＡ３１→ＩＰ変換装置Ｃ２３の順に呼設定信号（例えばＳＩＰではＩＮＶＩＴＥ（ＳＤＰ＿３＿２を搭載））（通信中発信呼）を送信する（Ｓ３２２２，Ｓ３２２３）。
呼設定信号を受信したＩＰ変換装置Ｃ２３は、電話端末Ｃ４３を呼び出す（Ｓ３２２４）とともに、加入者サーバＡ３１→アプリケーションサーバ１０ｃの順に呼出信号（例えばＳＩＰでは「１８０」）を送信する（Ｓ３２２５，Ｓ３２２６）。
呼出信号を受信したアプリケーションサーバ１０ｃの三者通話動作制御部５３は自身の状態を「第２呼呼出中」の状態へ遷移させる（Ｓ３２２７）。
【０１２８】
その後、アプリケーションサーバ１０ｃの三者通話動作制御部５３は、加入者サーバＡ３１→ＩＰ変換装置Ａ２１ｃの順に呼出信号（例えばＳＩＰでは「１８０」）を送信する（Ｓ３２２８，Ｓ３２２９）。
呼出信号を受信したＩＰ変換装置Ａ２１ｃの処理部５４は、電話端末Ａ４１へリングバックトーン（ＲＢＴ）を送出し（Ｓ３２３０）、自身の状態を「第２呼呼出中」の状態へ遷移させる（Ｓ３２３１）。
【０１２９】
（電話端末Ｃ４３呼出中〜電話端末Ｃ４３−電話端末Ａ４１通話通話〜フッキング検出）
図２０は、第３実施形態に係る電話端末Ｃ呼出（第２呼呼出）〜電話端末Ｃ−電話端末Ａ通話〜フッキング検出が行われるまでの処理の手順を示すシーケンス図である。図２０は、図２のステップＳ２０５〜Ｓ２０８までの動作を示すものである。
図１９の処理の結果、第１呼（電話端末Ａ４１−電話端末Ｂ４２）が保留となっており、電話端末Ｃ４３呼出（第２呼呼出）中の状態であり、ＩＰ変換装置Ａ２１ｃおよびアプリケーションサーバ１０ｃの状態が「第２呼呼出中」であるとする。
図１９の第１呼保留、第２呼呼出中の状態で、通話者Ｃが呼び出しに応答して、電話端末Ｃ４３をオフフックすると（Ｓ３３０１）、ＩＰ変換装置Ｃ２３が加入者サーバＡ３１→アプリケーションサーバ１０ｃ→加入者サーバＡ３１→ＩＰ変換装置Ａ２１ｃの順に応答信号（例えばＳＩＰでは「２００（ＳＤＰ＿２を搭載）」）を送信する（Ｓ３３０２〜Ｓ３３０５）。
応答信号を受信・送信したアプリケーションサーバ１０ｃの三者通話制御部５３は、自身の状態を「第２呼通話中」に遷移させる（Ｓ３３０６）。
応答信号を受信したＩＰ変換装置Ａ２１ｃの処理部５４は、加入者サーバＡ３１→アプリケーションサーバ１０ｃ→加入者サーバＡ３１→ＩＰ変換装置Ｃ２３の順に応答確認信号（例えばＳＩＰではＡＣＫ）を送信し（Ｓ３３０７〜Ｓ３３１０）、電話端末Ａ４１と、電話端末Ｃ４３との間が通話状態となる（Ｓ３３１１）。
【０１３０】
通話者Ａが電話端末Ａ４１のフックボタンを操作（フッキング）する（Ｓ３３１２）と、ＩＰ変換装置Ａ２１ｃの処理部５４は、このフッキングを検出し（Ｓ３３１３）、フッキング通知を行う（Ｓ３３１４）ことで、ＩＰ変換装置Ａ２１ｃの処理部５４は、加入者サーバＡ３１→アプリケーションサーバ１０ｃの順にフッキング通知を含む通知信号（例えばＳＩＰではＩＮＦＯ（フッキング通知））を送信する（Ｓ３３１５，Ｓ３３１６）。
通知信号を受信したアプリケーションサーバ１０ｃの三者通話動作制御部５３は、加入者サーバＡ３１→ＩＰ変換装置Ａ２１ｃの順に応答信号（例えばＳＩＰであれば「２００」）を送信する（Ｓ３３１７，Ｓ３３１８）。
【０１３１】
（フッキング検出〜三者通話）
図２１は、第３実施形態に係るフッキング検出〜三者通話が行われるまでの処理の手順を示すシーケンス図である。図６は、図２のステップＳ２０８〜Ｓ２０９までの動作を示すものである。
図２０のステップＳ３３１２におけるフッキング通知を受信したアプリケーションサーバ１０ｃの通話制御部５１ｃは加入者サーバＡ３１→ＩＰ変換装置Ｃ２３の順に再呼設定信号（例えばＳＩＰでは「ｒｅ−ＩＮＶＩＴＥまたはＵＰＤＡＴＥ（ＭＲＦＰ＿ＳＤＰ＿２を搭載）：「ＭＲＦＰ＿ＳＤＰ＿２」は電話端末Ｃ４３の接続先を音声ミキシング装置５２ｃ（ＭＲＦＰ）へ変更するための接続情報）を送信する（Ｓ３４０１，Ｓ３４０２）。
再呼設定信号を受信したＩＰ変換装置Ｃ２３は、加入者サーバＡ３１→アプリケーションサーバ１０ｃの順に応答信号（例えばＳＩＰでは「２００」）を送信する（Ｓ３４０３，Ｓ３４０４）。
応答信号を受信したアプリケーションサーバ１０ｃの通話制御部５１ｃは、音声ミキシング装置５２ｃを制御する音声ミキシング制御を行い（Ｓ３４０５）、ＩＰ変換装置Ｃ２３に対し、音声ミキシング装置５２ｃでのミキシングを開始する（Ｓ３４０６）。具体的には、ＩＰ変換装置Ｃ２３からの音声信号を音声ミキシング装置５２ｃを通してから、再度アプリケーション１０ｃへ戻して、電話端末Ａ４１、電話端末Ｂ４２へ送出するようにする。
その後、アプリケーションサーバ１０ｃの三者通話動作制御部５３は、加入者サーバＡ３１→ＩＰ変換装置Ｃ２３の順に応答確認信号（例えばＳＩＰでは「ＡＣＫ」）を送信する（Ｓ３４０７，Ｓ３４０８）。
【０１３２】
次に、アプリケーションサーバ１０ｃの通話制御部５１ｃは、加入者サーバＡ３１→加入者サーバＢ３２→ＩＰ変換装置Ｂ２２の順に再呼設定信号（例えばＳＩＰでは「ｒｅ−ＩＮＶＩＴＥまたはＵＰＤＡＴＥ（ＭＲＦＰ＿ＳＤＰ＿２を搭載）：「ＭＲＦＰ＿ＳＤＰ＿２」は電話端末Ｂ４２の接続先を音声ミキシング装置５２ｃへ変更するための接続情報）を送信する（Ｓ３４０９〜Ｓ３４１１）。
再呼設定信号を受信したＩＰ変換装置Ｂ２２は、加入者サーバＢ３２→加入者サーバＡ３１→アプリケーションサーバ１０ｃ順に応答信号（例えばＳＩＰでは「２００」）を送信する（Ｓ３４１２〜Ｓ３４１４）。
応答信号を受信したアプリケーションサーバ１０ｃの通話制御部５１ｃは、音声ミキシング装置５２ｃを制御する音声ミキシング制御を行い（Ｓ３４１５）、ＩＰ変換装置Ｂ２２に対し、音声ミキシング装置５２ｃでのミキシングを開始する（Ｓ３４１６）。具体的には、ＩＰ変換装置Ｂ２２からの音声信号を音声ミキシング装置５２ｃを通してから、再度アプリケーション１０ｃへ戻して、電話端末Ａ４１、電話端末Ｃ４３へ送出するようにする。
そして、アプリケーションサーバ１０ｃの三者通話動作制御部５３は、加入者サーバＡ３１→加入者サーバＢ３２→ＩＰ変換装置Ｂ２２の順に応答確認信号（例えばＳＩＰでは「ＡＣＫ」）を送信する（Ｓ３４１７〜Ｓ３４１９）。
【０１３３】
次に、アプリケーションサーバ１０ｃの通話制御部５１ｃは、加入者サーバＡ３１→ＩＰ変換装置Ａ２１ｃの順に再呼設定信号（例えばＳＩＰでは「ｒｅ−ＩＮＶＩＴＥまたはＵＰＤＡＴＥ（ＭＲＦＰ＿ＳＤＰ＿１を搭載）：「ＭＲＦＰ＿ＳＤＰ＿１」は電話端末Ａ４１の接続先を音声ミキシング装置５２ｃへ変更するための接続情報）を送信する（Ｓ３４２０，Ｓ３４２１）。
再呼設定信号を受信したＩＰ変換装置Ａ２１ｃの処理部５４は、加入者サーバＡ３１→アプリケーションサーバ１０ｃの順に応答信号（例えばＳＩＰでは「２００」）をへ送信する（Ｓ３４２２，Ｓ３４２３）。
応答信号を受信したアプリケーションサーバ１０ｃの通話制御部５１ｃは、音声ミキシング装置５２ｃを制御する音声ミキシング制御を行い（Ｓ３４２４）、ＩＰ変換装置Ａ２１に対し、音声ミキシング装置５２ｃでのミキシングを開始する（Ｓ３４２５）。具体的には、ＩＰ変換装置Ａ２１からの音声信号を音声ミキシング装置５２ｃを通してから、再度アプリケーション１０ｃへ戻して、電話端末Ｂ４２、電話端末Ｃ４３へ送出するようにする。
【０１３４】
そして、アプリケーションサーバ１０ｃの三者通話動作制御部５３は、加入者サーバＡ３１→ＩＰ変換装置Ａ２１ｃの順に応答確認信号（例えばＳＩＰでは「ＡＣＫ」）を送信し（Ｓ３４２６，Ｓ３４２７）、自身の状態を「三者通話中」の状態へ遷移させる（Ｓ３４２８）。
これにより、音声ミキシング装置５２ｃを介した通話者Ａ、通話者Ｂ、通話者Ｃの三者通話が成立する（Ｓ３４２９）。
【０１３５】
（三者通話〜電話端末Ｃ４３切断）
図２２は、第３実施形態に係る三者通話（音声ミキシング）〜電話端末Ｃ（第２呼）切断までの処理の手順を示すシーケンス図である。図２２は、図２のステップＳ２０９〜Ｓ２０１までの動作を示すものである。
図２１の結果、三者通話（音声ミキシング）となっており、アプリケーションサーバ１０ｃの状態が「三者通話中」であるものとする。
三者通話中に、通話者Ａが電話端末Ａ４１のフックボタンを操作（フッキング）する（Ｓ３５０１）。ＩＰ変換装置Ａ２１ｃの処理部５４は、このフッキングを検出し（Ｓ３５０２）、フッキング通知を行って（Ｓ３５０３）、加入者サーバＡ３１→アプリケーションサーバ１０ｃの順にフッキング通知を含む通知信号（例えばＳＩＰでは「ＩＮＦＯ（フッキング通知）」）を送信する（Ｓ３５０４，Ｓ３５０５）。通知信号を受信したアプリケーション１０ｃの三者通話制御部５３は、加入者サーバＡ３１→ＩＰ変換装置Ａ２１ｃの順に応答信号（例えばＳＩＰであれば「２００」）を送信する（Ｓ３５０６，Ｓ３５０７）。
【０１３６】
フッキング通知を含む通知信号を受信したアプリケーションサーバ１０ｃの三者通話動作制御部５３ｃは、三者通話中に電話端末Ａ４１のフッキングが行われたときには、通話者Ｃの第２呼通話を切断するという離脱条件判定を行い（Ｓ３５０８）、通話制御部５１ｃが離脱条件に従った回線の切断を行う（Ｓ３５０９）。
そして、アプリケーションサーバ１０ｃの通話制御部５１ｃは、加入者サーバＡ３１→加入者サーバＢ３２→ＩＰ変換装置Ｂ２２の順に再呼設定信号（例えばＳＩＰではｒｅ−ＩＮＶＩＴＥまたはＵＰＤＡＴＥ（ＳＤＰ＿３を搭載）：ＳＤＰ＿３は電話端末Ｂ４２の接続先を電話端末Ａ４１へ変更するための接続情報）を送信する（Ｓ３５１０〜Ｓ３５１２）。
再呼設定信号を受信したＩＰ変換装置Ｂ２２は、加入者サーバＢ３２→加入者サーバＡ３１→アプリケーションサーバ１０ｃの順に応答信号（例えばＳＩＰでは「２００」）を送信する（Ｓ３５１３〜Ｓ３５１５）。
応答信号を受信したアプリケーションサーバ１０ｃの三者通話動作制御部５３は、加入者サーバＡ３１→加入者サーバＢ３２→ＩＰ変換装置Ｂ２２の順に、応答確認信号（例えばＳＩＰでは「ＡＣＫ」）を送信する（Ｓ３５１６〜Ｓ３５１８）。
【０１３７】
次に、アプリケーションサーバ１０ｃの通話制御部５１ｃは、加入者サーバＡ３１→ＩＰ変換装置Ａ２１ｃの順に再呼設定信号（例えばＳＩＰではｒｅ−ＩＮＶＩＴＥまたはＵＰＤＡＴＥ（ＳＤＰ＿１を搭載）：ＳＤＰ＿１は電話端末Ａ４１の接続先を電話端末Ｂ４２へ変更するための接続情報）を送信する（Ｓ３５１９，Ｓ３５２０）。
再呼設定信号を受信したＩＰ変換装置Ａ２１ｃの処理部５４は、加入者サーバＡ３１→アプリケーションサーバ１０ｃの順に応答信号（例えばＳＩＰでは「２００」）を送信する（Ｓ３５２１，Ｓ３５２２）。
応答信号を受信したアプリケーションサーバ１０ｃの三者通話動作制御部５３は、加入者サーバＡ３１→ＩＰ変換装置Ａ２１ｃの順に応答確認信号（例えばＳＩＰでは「ＡＣＫ」）を送信する（Ｓ３５２３，Ｓ３５２４）。
【０１３８】
次に、アプリケーションサーバ１０ｃの三者通話動作制御部５３は、加入者サーバＡ３１→ＩＰ変換装置Ｃ２３の順に切断信号（例えばＳＩＰでは「ＢＹＥ」）を送信する（Ｓ３５２５，Ｓ３５２６）。
切断信号を受信したＩＰ変換装置Ｃ２３は、電話端末Ｃ４３に対しビジートーン（ＢＴ）を送出して（Ｓ３５２７）、電話端末Ｃ４３との通話回線を切断するとともに、加入者サーバＡ３１→アプリケーションサーバ１０ｃの順に切断応答信号（例えばＳＩＰでは「２００」）を送信する（Ｓ３５２８，Ｓ３５２９）。
切断応答信号を受信したアプリケーションサーバ１０ｃの通話制御部５１ｃは、音声ミキシング装置５２ｃを制御するミキシング制御を行い（Ｓ３５３０）、音声ミキシング装置５２ｃに対し「三者通話終了」とし（Ｓ３５３１）、三者通話動作制御部５３が自身の状態を「三者通話許容」の状態へ遷移させる（Ｓ３５３２）。
そして、通話者Ｃが電話端末Ｃ４３をオンフックすることにより（Ｓ３５３３）、電話端末Ｃ４３との通話が終了し、二者通話となる。
【０１３９】
（電話端末Ａ４１−電話端末Ｂ４２間通話〜通話終了）
図２３は、第３実施形態に係る電話端末Ａ−電話端末Ｂ間通話（第１呼通話）〜通話終了までの処理の手順を示すシーケンスである。図２３は、図２のステップＳ２０３〜Ｓ２１１〜Ｓ２１２までの動作を示すものである。
図１８または図２２の結果、電話端末Ａ４１−電話端末Ｂ４２間通話（第１呼通話）中であり、ＩＰ変換装置Ａ２１ｃおよびアプリケーションサーバ１０ｃの状態が「三者通話許容」であるとする。
【０１４０】
第１呼通話中に、通話者Ａが電話端末４０のフックボタンを操作（フッキング）する（Ｓ３６０１）と、ＩＰ変換装置Ａ２１ｃの処理部５４が、このフッキングを検出し（Ｓ３６０２）、フッキング通知を行って（Ｓ３６０３）、加入者サーバＡ３１→アプリケーションサーバ１０ｃの順にフッキング通知を含む通知信号（例えばＳＩＰでは「ＩＮＦＯ（フッキング通知）」）を送信する（Ｓ３６０４，Ｓ３６０５）。
フッキング通知を含む通知信号を受信したアプリケーションサーバ１０ｃの通話制御部５１ｃは音声ミキシング装置５２ｃの会議リソースを捕捉し（Ｓ３６０６）、自身の状態を「三者通話開始中」に遷移させ（Ｓ３６０７）、加入者サーバＡ３１→ＩＰ変換装置Ａ２１ｃの順に応答信号（例えばＳＩＰであれば「２００」）を送信する（Ｓ３６０８，Ｓ３６０９）。
次に、アプリケーションサーバ１０ｃの通話制御部５１ｃは、第２呼発信指示を行い（Ｓ３６１０）、加入者サーバＡ３１→ＩＰ変換装置Ａ２１ｃの順に第２呼発信指示を含む通知信号（例えばＳＩＰでは「ＩＮＦＯ（第２呼発信指示）」）を送信する（Ｓ３６１１，Ｓ３６１２）。
【０１４１】
第２呼発信指示を含む通知信号を受信したＩＰ変換装置Ａ２１ｃの処理部５４は第２発信を行い（Ｓ３６１３）、電話端末Ａ４１へ第２ダイヤルトーン（ＳＤＴ）を送出する（Ｓ３６１４）とともに、電話端末Ｂ４２へ保留音を送出する（Ｓ３６１５）ことによって、電話端末Ｂ４２を保留状態とし、通話者Ａが発信可能な状態とする。
そして、ＩＰ変換装置Ａ２１ｃの処理部５４は、加入者サーバＡ３１→アプリケーションサーバ１０ｃの順に応答信号（例えばＳＩＰであれば「２００」）を送信する（Ｓ３６１６、Ｓ３６１７）。
【０１４２】
ここで、通話者Ａによる第２呼ダイヤル前に、通話者Ｂが、保留状態の電話端末Ｂ４２をオンフックすると（Ｓ３６１８）、ＩＰ変換装置Ｂ２２が、このオンフックを検知し、加入者サーバＢ３２→加入者サーバＡ３１→アプリケーションサーバ１０ｃの順に切断信号（例えばＳＩＰでは「ＢＹＥ」）を送信する（Ｓ３６１９〜Ｓ３６２１）（ルーチング）。
【０１４３】
切断信号を受信したアプリケーションサーバ１０ｃの通話制御部５１ｃは、電話端末Ｂ４２からの切断信号により、電話端末Ｂ４２との回線を切断する離脱条件判定を行い（Ｓ３６２２）、音声ミキシング装置５２ｃを制御して（Ｓ３６２３）、捕捉していた会議リソースを解放する（Ｓ３６２４）とともに、三者通話動作制御部５３が加入者サーバ３０→ＩＰ変換装置Ａ２１ｃの順に切断信号（例えばＳＩＰでは「ＢＹＥ」）を送信する（Ｓ３６２５，Ｓ３６２６）。
切断信号を受信したＩＰ変換装置Ａ２１ｃの処理部５４は、契約者へビジートーン（ＢＴ）を送出する（Ｓ３６２７）とともに、加入者サーバＡ３１→アプリケーションサーバ１０ｃ→加入者サーバＡ３１→加入者サーバＢ３２→ＩＰ変換装置Ｂ２２の順に切断応答信号（例えばＳＩＰでは「２００」）を送信する（Ｓ３６２８〜Ｓ３６３２）。
切断応答信号の受信・送信を行ったアプリケーションサーバ１０ｃの三者通話動作制御部５３は自身の状態を「空き」の状態へ遷移させる（Ｓ３６３３）。
そして、通話者Ａが電話端末Ａ４１をオンフックする（Ｓ３６３４）ことにより通話が終了する。
【０１４４】
（電話端末Ｂ４２保留〜電話端末Ｂ４２切断〜電話端末Ａ４１−電話端末Ｃ４３通話）
図２４は、第３実施形態に係る電話端末Ｂ保留中に電話端末Ｂの通話が切断され、電話端末Ａと電話端末Ｃとの間の二者通話になるまでの処理の手順を示すシーケンス図である。図２４は、図２のステップＳ２０５〜Ｓ２１３を経由してステップＳ２１６までの動作を示すものである。
電話端末Ｂ４２保留（第１呼保留）、電話端末Ｃ４３呼出（第２呼呼出）中の状態で、ＩＰ変換装置Ａ２１ｃおよびアプリケーションサーバ１０ｃの状態が「第２呼呼出中」となっているとする。
【０１４５】
図１９の処理においてなされた第１呼保留および第２呼呼出中に、通話者Ｂが、保留状態の電話端末Ｂ４２をオンフックすると（Ｓ３７０１）、ＩＰ変換装置Ｂ２２はこのオンフックを検知し、加入者サーバＢ３２→加入者サーバＡ３１→アプリケーションサーバ１０ｃの順に切断信号（例えばＳＩＰでは「ＢＹＥ」）を送信する（Ｓ３７０２〜Ｓ３７０４）。
切断信号を受信したアプリケーションサーバ１０ｃの通話制御部５１ｃは、第２呼呼出中の切断信号受信により、電話端末Ｂ４２と電話端末Ａ４１の間の回線切断を行う離脱条件判定を行い（Ｓ３７０５）、電話端末Ｂ４２と、電話端末Ａ４１の間の回線切断を行う（Ｓ３７０６）。そして、アプリケーションサーバ１０ｃ三者通話動作制御部５３は、第２呼呼出中の切断信号受信により、加入者サーバＡ３１→ＩＰ変換装置Ａ２１ｃの順に切断信号（例えばＳＩＰでは「ＢＹＥ」）を送信する（Ｓ３７０７，Ｓ３７０８）。
【０１４６】
切断信号を受信したＩＰ変換装置Ａ２１ｃの処理部５４は、、加入者サーバＡ３１→アプリケーションサーバ１０ｃ→加入者サーバＡ３１→加入者サーバＢ３２→ＩＰ変換装置Ｂ２２の順に切断応答信号（例えばＳＩＰでは「２００」）を送信する（Ｓ３７０９〜Ｓ３７１３）。
そして、切断応答信号を送信・受信したアプリケーションサーバ１０ｃの通話制御部５１ｃが、音声ミキシング装置５２ｃで捕捉していた会議リソースを解放する（Ｓ３７１４）。
【０１４７】
その後、アプリケーションサーバ１０ｃの三者通話動作制御部５３は、通話制御部５１ｃがフッキング許容指示を行い（Ｓ３７１６）、自身の状態を「第１呼呼出中」に遷移させる（Ｓ３７１７）。
そして、アプリケーションサーバ１０ｃの三者通話動作制御部５３は、加入者サーバＡ３１→ＩＰ変換装置Ａ２１ｃの順にフッキング許容指示を含む通知信号（例えばＳＩＰでは「ＩＮＦＯ（三者通話許容）」）を送信する（Ｓ３７１８、Ｓ３７１９）。
【０１４８】
通知信号を受信したＩＰ変換装置Ａ２１ｃの処理部５４は、電話端末Ａ４１のフッキング監視を行い（Ｓ３７２０）、加入者サーバＡ３１→アプリケーションサーバ１０ｃの順に応答信号（例えばＳＩＰでは「２００」）を送信する（Ｓ３７２１，Ｓ３７２２）。
【０１４９】
電話端末Ｃ４３がオフフックされることにより（Ｓ３７２３）、ＩＰ変換装置Ｃ２３がこのオフフックを検知すると、ＩＰ変換装置Ｃ２３は、加入者サーバＡ３１→アプリケーションサーバ１０ｃ→加入者サーバＡ３１→ＩＰ変換装置Ａ２１ｃの順に応答信号（例えばＳＩＰでは「２００（ＳＤＰ＿２を搭載）」：ＳＤＰ＿２はＩＰ変換装置Ｃ２３の接続情報）を送信する（Ｓ３７２４〜Ｓ３７２７）。
応答信号を受信したＩＰ変換装置Ａ２１ｃの処理部５４は、加入者サーバＡ３１→アプリケーションサーバ１０ｃ→加入者サーバＡ３１→ＩＰ変換装置Ｃ２３の順に応答確認信号（例えばＳＩＰでは「ＡＣＫ」）を送信する（Ｓ３７２８〜Ｓ３７３１）。
応答確認信号の受信・送信を行なったアプリケーションサーバ１０ｃの三者通話動作制御部５３は自身の状態を「第１呼通話」の状態へ遷移させ（Ｓ３７３２）、電話端末Ａ４１と、電話端末Ｃ４３との通話状態が成立する（Ｓ３７３３）。
【０１５０】
（第３実施形態の効果）
第３実施形態によれば、１つの音声ミキシング装置５２ｃに音声ミキシング機能を集約させることで、ネットワーク内に複数存在するＩＰ変換装置２０の１つ１つを音声ミキシング部５２に備えさせるよりもコストを低下させることができる。
【０１５１】
（まとめ）
表１に第１実施形態〜第３実施形態の特徴をまとめた図を示す。
【０１５２】
【表１】
2011244193.tif 000003
【０１５３】
表１に示すように、通話制御部５１は、第１実施形態ではアプリケーションサーバ１０に配備されており、第２実施形態では、ＩＰ変換装置２０に配備されており、第３実施形態では、アプリケーションサーバ１０に配備されている。
また、音声ミキシング部５２は、第１実施形態および第２実施形態ではＩＰ変換装置に配備されており、第３実施形態では、独立した装置として、ＩＰ網上に配備され、音声ミキシング処理を集約的に行っている。
また、フッキング通知は、第１実施形態および第３実施形態では、毎回アプリケーションサーバ１０へ通知するが、第２実施形態では、音声ミキシング部５２をＩＰ変換装置２０に配備したため、初回のフッキング（二者通話から三者通話に移る際に、通話相手の電話端末４０を保留とするためのフッキング）のみがアプリケーションサーバ１０へ送信され、以降のフッキング（第三者との二者通話から、音声ミキシングを実行して三者通話を行うためのフッキング）はアプリケーションサーバ１０へ送信する必要がない。
【０１５４】
なお、第１実施形態〜第３実施形態におけるアプリケーションサーバ１０ａ〜１０ｃを、加入者サーバＡ３１に含ませる形態としてもよい。
【符号の説明】
【０１５５】
１，１ａ，１ｂ，１ｃ  三者通話システム
１０，１０ａ，１０ｂ，１０ｃ  アプリケーションサーバ
２０    ＩＰ変換装置
２１ａ，２１ｂ，２１ｃ  ＩＰ変換装置Ａ
２２    ＩＰ変換装置Ｂ
２３    ＩＰ変換装置Ｃ
３０    加入者サーバ
３１    加入者サーバＡ
３２    加入者サーバＢ
３３    加入者サーバＣ
４０    電話端末
４１    電話端末Ａ
４２    電話端末Ｂ
４３    電話端末Ｃ
５１，５１ａ，５１ｂ，５１ｃ  通話制御部
５２，５２ａ，５２ｂ  音声ミキシング部
５２ｃ  音声ミキシング装置
５３    三者通話動作制御部
５４    処理部
【図１】
2011244193.tif 000004
【図２】
2011244193.tif 000005
【図３】
2011244193.tif 000006
【図４】
2011244193.tif 000007
【図５】
2011244193.tif 000008
【図６】
2011244193.tif 000009
【図７】
2011244193.tif 000010
【図８】
2011244193.tif 000011
【図９】
2011244193.tif 000012
【図１０】
2011244193.tif 000013
【図１１】
2011244193.tif 000014
【図１２】
2011244193.tif 000015
【図１３】
2011244193.tif 000016
【図１４】
2011244193.tif 000017
【図１５】
2011244193.tif 000018
【図１６】
2011244193.tif 000019
【図１７】
2011244193.tif 000020
【図１８】
2011244193.tif 000021
【図１９】
2011244193.tif 000022
【図２０】
2011244193.tif 000023
【図２１】
2011244193.tif 000024
【図２２】
2011244193.tif 000025
【図２３】
2011244193.tif 000026
【図２４】
2011244193.tif 000027
【図２５】
2011244193.tif 000028